(57)【要約】      （修正有）【課題】利便性をより向上することができる、コントローラ用のケースを提供する。【解決手段】ケース１００は、第１操作部と、第２操作部と、第３操作部と、撮像部と、有するコントローラ、を収容するように構成されたケースであって、コントローラを収容可能な収容空間を有するケース本体部１１０と、ケース本体部から突出する突出部４５と、を備え、ケース本体部は、長手形状に形成され、ケース本体部には、コントローラが収容空間に収容された場合において、撮像部によりケース本体部の外部を撮像可能とするための第１開口部６３、コントローラが収容空間に収容された場合において、第１操作部の少なくとも一部が露出する第２開口部６７、及びコントローラが収容空間に収容された場合において、第３操作部の少なくとも一部が露出する第３開口部が形成されている。【選択図】図８
2019122569.tif 000002
【特許請求の範囲】
【請求項１】
第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面と、を有するコントローラであって、前記第１主面に設けられる第１操作部と、前記第１端面に設けられる第２操作部と、前記第２主面に設けられる第３操作部と、前記第２端面に設けられる撮像部と、をさらに有する前記コントローラを収容するように構成されたケースであって、
前記コントローラを収容可能な収容空間を有するケース本体部と、
前記ケース本体部から突出する少なくとも１つの突出部と、
を備え、
前記ケース本体部は、
前記コントローラが前記収容空間に収容された場合において、前記コントローラの前記第１端面に対応する第１端部と、
前記収容空間に前記コントローラが収容された場合において、前記コントローラの前記第２端面に対応する第２端部と、
を有する長手形状に形成され、
前記ケース本体部には、
前記第２端部側に設けられ、前記コントローラが前記収容空間に収容された場合において、前記撮像部により当該ケース本体部の外部を撮像可能とするための第１開口部、
前記コントローラが前記収容空間に収容された場合において、前記第１操作部の少なくとも一部を露出させる第２開口部、及び
前記コントローラが前記収容空間に収容された場合において、前記第３操作部の少なくとも一部を露出させる第３開口部
が形成されており、
前記突出部は、前記第３開口部よりも前記第１端部側に配置されている、ケース。
【請求項２】
前記突出部は、前記第２端部側を向く接触面を有している、請求項１に記載のケース。
【請求項３】
前記突出部において前記接触面を構成する部位は、少なくとも一部が複数層の板紙により形成されている、請求項２に記載のケース。
【請求項４】
前記ケース本体部は、
前記第１主面と対応する第１面部、
前記第２主面と対応する第２面部、
前記第１側端面と対応する第１側面部、及び
前記第２側端面と対応する第２側面部
を備え、
前記突出部は、前記第１面部、第２面部、第１側面部、及び第２側面部の少なくとも１つから突出している、請求項１から３のいずれかに記載のケース。
【請求項５】
前記突出部は、前記第１面部から突出する第１突出部材と、前記第２面部から突出する第２突出部材と、を備えている、請求項４に記載のケース。
【請求項６】
前記第１突出部材は、前記第１面部と平行な第１突出面と、前記第１突出面の両側から前記第１側面部及び第２側面部へと傾斜して延びる一対の第１傾斜面と、を備えており、
前記第２突出部材は、前記第２面部と平行な、第２突出面と、前記第２突出面の両側から前記第１側面部及び第２側面部へと傾斜して延びる一対の第２傾斜面と、を備えている、請求項５に記載のケース。
【請求項７】
前記第１突出部材の前記第１面部からの突出高さと、前記第２突出部材の前記第２面部からの突出高さとが、略同じである、請求項５または６に記載のケース。
【請求項８】
前記コントローラが前記収容空間に収容された場合において、前記第１操作部の少なくとも一部が前記第１開口部から外部に突出するように構成され、
前記突出部の少なくとも一つは、前記第１面部に設けられ、
前記突出部の前記第１面部からの突出高さは、前記第１面部から突出する前記第１操作部の突出高さよりも高い、請求項４から７のいずれかに記載のケース。
【請求項９】
前記コントローラが前記収容空間に収容された場合において、前記第３操作部の少なくとも一部が前記第３開口部から外部に突出するように構成され、
前記突出部の少なくとも一つは、前記第２面部に設けられ、
前記突出部の前記第２面部からの突出高さは、前記第２面部から突出する前記第３操作部の突出高さよりも高い、請求項４から７のいずれかに記載のケース。
【請求項１０】
前記ケース本体部は、
前記コントローラが挿入される挿入口を有し、前記第１端面側の一部を前記挿入口から露出させた状態で当該コントローラを収容する収容部と、
前記収容部から露出する前記コントローラの前記第１端面側の一部を覆うように前記収容部の一部に連結される蓋部と、
を備え、
前記蓋部は、前記挿入口を塞ぐ閉状態と、前記挿入口を開き、前記コントローラの前記第１端面側の一部を露出させる開状態とをとり得るように構成されている、請求項１から９に記載のケース。
【請求項１１】
前記ケース本体部は、
前記第１主面と対応する第１面部、
前記第２主面と対応する第２面部、
前記第１側端面と対応する第１側面部、及び
前記第２側端面と対応する第２側面部
を備え、
前記収容部は、
前記第１面部の一部である第１収容面部、
前記第２面部の一部である第２収容面部、
前記第１側面部の一部である第１収容側面部、及び
前記第２側面部の一部である第２収容側面部、を備え、
前記蓋部は、
前記第１面部の一部である第１蓋面部、
前記第２面部の一部である第２蓋面部、
前記第１側面部の一部である第１蓋側面部、及び
前記第２側面部の一部である第２蓋側面部、を備え、
前記第１収容側面部と前記第１蓋側面部とが一体的に形成されており、
前記第１収容側面部と前記第１蓋側面部との境界を折り曲げることで、前記蓋部が前記開状態となるように構成されている、請求項１から１０に記載のケース。
【請求項１２】
前記第２蓋側面部から突出する突出片が設けられており、
前記蓋部が前記閉状態にあるとき、前記突出片が、前記第２収容側面部の内面に係合するように構成されている、請求項１１に記載のケース。
【請求項１３】
前記第２収容側面部から突出するロック部材が設けられており、
前記ロック部材は、前記蓋部材を前記閉状態にロックするロック位置と、前記蓋部材を前記閉状態から前記開状態に変位可能なロック解除位置と、を取り得るように、前記第２収容側面部に対して折り曲げ可能に構成されており、
前記ロック部材は、前記ロック位置にあるとき、前記蓋部に形成された被係合部に係合することが可能な突部を備えている、請求項１１または１２に記載のケース。
【請求項１４】
前記収容部には、前記収容空間に収容された前記コントローラが前記第２端部側に移動するのを規制する少なくとも１つの規制部が設けられている、請求項１０から１３のいずれかに記載のケース。
【請求項１５】
前記収容部の第２収容側面部は、複数の板材を重ねることで形成されている、請求項１０から１４のいずれかに記載のケース。
【請求項１６】
前記コントローラが前記収容空間に収容された場合において、前記第２操作部に含まれる操作ボタンと対向する位置に配置された可動部材を、さらに備え、
前記可動部材は、ユーザにより操作可能な第１部位と、前記コントローラが前記収容空間に収容された場合において前記第１部位に対する前記操作に応じて前記第２操作部の操作ボタンを押し込むことが可能な第２部位と、を備えている、請求項１から１５のいずれかに記載のケース。
【請求項１７】
前記ケース本体部の前記第１端部側に取り付けられた保持部材をさらに備え、
前記保持部材は、前記コントローラが前記収容空間に収容された場合において、前記第２操作部の操作ボタンと対向する位置に形成された貫通孔を有し、
前記保持部材は、前記可動部材の第１部位が前記貫通孔から外部に露出するように当該可動部材を保持するように構成されている、請求項１６に記載のケース。
【請求項１８】
前記可動部材の第２部位は、前記第２操作部の前記操作ボタンとは線状に接触するように構成されている、請求項１６または１７に記載のケース。
【請求項１９】
前記可動部材の第２部位は、板材に形成されており、
前記コントローラが前記収容空間に収容された場合において、前記板材の面方向と前記第２操作部の操作ボタンの押し込み方向とが平行になるように構成されている、請求項１６から１８のいずれかに記載のケース。
【請求項２０】
前記可動部材が前記貫通孔から離脱すること、及び前記可動部材が前記第２端部側へ移動することを規制するストッパ部が、当該可動部材に設けられている、請求項１６から１９のいずれかに記載のケース。
【請求項２１】
前記ストッパ部は、前記突出部に覆われている、請求項２０に記載のケース。
【請求項２２】
第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面とを有するコントローラであって、前記第１主面に設けられる第１操作部と、前記第１端面に設けられる第２操作部と、前記第２主面に設けられる第３操作部と、前記第２端面に設けられる撮像部と、をさらに有する前記コントローラ、を収容するように構成されたケースであって、
前記コントローラを収容可能な収容空間を有し、少なくとも一部が板紙により形成されている、ケース本体部、を備え、
前記ケース本体部は、
前記第１主面と対応する第１面部、
前記第２主面と対応する第２面部、
前記第１端面と対応する第１端部、
前記第２端面と対応する第２端部、
前記第１側端面と対応する第１側面部、及び
前記第２側端面と対応する第２側面部
を備え、
前記ケース本体部には、
前記第２端部側に設けられ、前記コントローラが前記収容空間に収容された場合において、前記撮像部により当該ケース本体部の外部を撮像可能とするための第１開口部、
前記コントローラが前記収容空間に収容された場合において、前記第１操作部の少なくとも一部を露出させる第２開口部、及び
前記コントローラが前記収容空間に収容された場合において、前記第３操作部の少なくとも一部を露出させる第３開口部
が形成されている、ケース。
【請求項２３】
前記ケース本体部は、
前記コントローラが挿入される挿入口を有し、前記第１端面側の一部を前記挿入口から露出させた状態で当該コントローラを収容する収容部と、
前記収容部から露出する前記コントローラの前記第１端面側の一部を覆うように前記収容部の一部に連結される蓋部と、
を備え、
前記蓋部は、前記挿入口を塞ぐ閉状態と、前記挿入口を開き、前記コントローラの前記第１端面側の一部を露出させる開状態と、をとり得るように構成されている、請求項２２に記載のケース。
【請求項２４】
前記収容部は、
前記第１面部の一部である第１収容面部、
前記第２面部の一部である第２収容面部、
前記第１側面部の一部である第１収容側面部、及び
前記第２側面部の一部である第２収容側面部、を備え、
前記蓋部は、
前記第１面部の一部である第１蓋面部、
前記第２面部の一部である第２蓋面部、
前記第１側面部の一部である第１蓋側面部、及び
前記第２側面部の一部である第２蓋側面部、を備え、
前記第１収容側面部と前記第１蓋側面部とが一体的に連結されており、
前記第１収容側面部と前記第１蓋側面部との境界を折り曲げることで、前記蓋部が前記開状態となるように構成されている、請求項２３に記載のケース。
【請求項２５】
前記第２蓋側面部から突出する突出片が設けられており、
前記蓋部が前記閉状態にあるとき、前記突出片が、前記第２収容側面部の内面に係合するように構成されている、請求項２４に記載のケース。
【請求項２６】
前記第２収容側面部から突出するロック部材が設けられており、
前記ロック部材は、前記蓋部材を前記閉状態にロックするロック位置と、前記蓋部材を前記閉状態から前記開状態に変位可能なロック解除位置と、を取り得るように、前記第２収容側面部に対して折り曲げ可能に構成されており、
前記ロック部材は、前記ロック位置にあるとき、前記蓋部に形成された被係合部に係合することが可能な突部を備えている、請求項２４または２５に記載のケース。
【請求項２７】
前記ロック部材は、板状に形成され、前記突部が前記被係合部に係合しているときに前記第２蓋側面部と接するように構成され、
前記蓋部の第２蓋側面部には、前記ロック部材を指で引っ掛けるための指入れ用凹部が形成されている、請求項２６に記載のケース。
【請求項２８】
前記ロック部材は、板状に形成され、前記突部が前記被係合部に係合しているときに前記第２蓋側面部と接するように構成され、
前記蓋部の第２蓋側面部には、前記ロック部材の周縁の一部に沿うように形成された指入れ用凹部が形成されている、請求項２７に記載のケース。
【請求項２９】
前記収容部には、前記収容空間に収容された前記コントローラが前記第２端部側に移動するのを規制する少なくとも１つの規制部が設けられている、請求項２２から２８のいずれかに記載のケース。
【請求項３０】
前記規制部は、前記収容部の内部に設けられ、前記コントローラの前記第２端面に接するように構成されている、請求項２９に記載のケース。
【請求項３１】
前記規制部は、複数層の板材により形成されている、請求項２９または３０に記載のケース。
【請求項３２】
前記第１操作部は、前記コントローラの第１主面から突出するアナログスティックを備えており、
前記コントローラが前記規制部により前記第２端部側への移動を規制されている状態では、前記アナログスティックが前記第２開口部の内縁に接触しないように構成されている、請求項２９から３１のいずれかに記載のケース。
【請求項３３】
前記収容部の第２収容側面部は、複数の板材を重ねることで形成されている、請求項２２から３２のいずれかに記載のケース。
【請求項３４】
第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面とを有するコントローラであって、前記第１主面に設けられる第１操作部と、前記第１端面に設けられる第２操作部と、前記第２主面に設けられる第３操作部と、前記第２端面に設けられる撮像部と、をさらに有する前記コントローラ、を収容するように構成されたケースであって、
前記コントローラを収容可能な収容空間を有するケース本体部と、
前記コントローラが前記収容空間に収容された場合において、前記第２操作部に含まれる操作ボタンと対向する位置に配置された可動部材と、
を備え、
前記ケース本体部は、
前記コントローラが前記収容空間に収容された場合において、前記コントローラの前記第１端面に対応する第１端部と、
前記コントローラが前記収容空間に収容された場合において、前記コントローラの前記第２端面に対応する第２端部と、
を有する長手形状に形成され、
前記ケース本体部には、
前記第２端部側に設けられ、前記コントローラが前記収容空間に収容された場合において、前記撮像部により当該ケース本体部の外部を撮像可能とするための第１開口部、
前記コントローラが前記収容空間に収容された場合において、前記第１操作部の少なくとも一部を露出させる第２開口部、及び
前記コントローラが前記収容空間に収容された場合において、前記第３操作部の少なくとも一部を露出させる第３開口部
が形成されており、
前記可動部材は、ユーザにより操作可能な第１部位と、前記コントローラが前記収容空間に収容された場合において前記第１部位に対する前記操作に応じて前記第２操作部の操作ボタンを押し込むことが可能な第２部位と、を備えている、ケース。
【請求項３５】
前記ケース本体部の前記第１端部側に取り付けられた保持部材をさらに備え、
前記保持部材は、前記コントローラが前記収容空間に収容された場合において、前記第２操作部の操作ボタンと対向する位置に形成された貫通孔を有し、
前記保持部材は、前記可動部材の第１部位が前記貫通孔から外部に露出するように当該可動部材を保持するように構成されている、請求項３４に記載のケース。
【請求項３６】
前記ケース本体部には、前記収容空間に収容された前記コントローラが前記第２端部側に移動するのを規制する少なくとも１つの規制部が設けられている、請求項３４または３５に記載のケース。
【請求項３７】
前記規制部の一つである第１規制部は、前記収容部における前記収容空間に設けられ、前記コントローラが前記収容空間に収容された場合において前記コントローラの前記第２端面に接するように構成されている、請求項３６に記載のケース。
【請求項３８】
前記コントローラが前記収容空間に収容された場合において、前記第３操作部の少なくとも一部が前記第３開口部から外部に突出するように構成され、
前記規制部の一つである第２規制部は、前記第３操作部に係合する前記第３開口部の内縁により構成されている、請求項３６または３７に記載のケース。
【請求項３９】
前記可動部材の第２部位は、板材に形成されており、
前記コントローラが前記収容空間に収容された場合において、前記板材の面方向と前記第２操作部の操作ボタンの押し込み方向とが平行になるように構成されている、請求項３４から３８のいずれかに記載のケース。
【請求項４０】
前記可動部材の第２部位は、前記操作ボタンとは線状に接触するように構成されている、請求項３４から３８のいずれかに記載のケース。
【請求項４１】
前記可動部材が前記貫通孔から離脱すること、及び前記可動部材が前記第２端部側へ移動するのを規制するストッパ部が、当該可動部材に設けられている、請求項３４から４０のいずれかに記載のケース。
【請求項４２】
前記ケース本体部から突出する少なくとも一つの突出部をさらに備え、
前記ストッパ部は、前記突出部に覆われている、請求項４１に記載のケース。
【発明の詳細な説明】
【技術分野】
【０００１】
本発明は、ゲームなどに用いるコントローラを収容するケースに関する。
【背景技術】
【０００２】
ゲームなどに用いられるコントローラは、外部からの衝撃を受けたときの破損を防止するため、ケースに収容された状態で用いられることがある。例えば、特許文献１には、ゴムなどの弾性材料で形成されたカバーが開示されている。
【先行技術文献】
【特許文献】
【０００３】
【特許文献１】特開２００９−３９１５６号公報
【発明の概要】
【発明が解決しようとする課題】
【０００４】
ところで、上記カバーは、主としてコントローラの外面を覆う役割を果たすものであり、手で把持することを主目的としている。しかしながら、コントローラの機能は多様化しており、手で把持するだけでなく、例えば、他の部材上に置いたり、あるいは他の装置に装着して用いられるなど、多様な使用が考えられる。したがって、多様な使用に対応する利便性の高い、コントローラ用のケースが要望されていた。本発明は、この問題を解決するためになされたものであり、利便性をより向上することができる、コントローラ用のケースを提供することを目的とする。
【課題を解決するための手段】
【０００５】
第１のケースは、第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面とを有するコントローラであって、当該第１主面に設けられる第１操作部と、前記第１端面に設けられる第２操作部と、前記第２主面に設けられる第３操作部と、前記第２端面に設けられる撮像部と、をさらに有する前記コントローラ、を収容するように構成されたケースであって、前記コントローラを収容可能な収容空間を有するケース本体部と、前記ケース本体部から突出する少なくとも１つの突出部と、を備え、前記ケース本体部は、前記収容空間に前記コントローラが収容された場合において、前記コントローラの前記第１端面に対応する第１端部と、前記収容空間に前記コントローラが収容された場合において、前記コントローラの前記第２端面に対応する第２端部と、を有する長手形状に形成され、前記ケース本体部には、前記第２端部側に設けられ、前記コントローラが前記収容空間に収容された場合において、前記撮像部により当該ケース本体部の外部を撮像可能とするための第１開口部、前記コントローラが前記収容空間に収容された場合において、前記第１操作部の少なくとも一部が露出する第２開口部、及び前記コントローラが前記収容空間に収容された場合において、前記第３操作部の少なくとも一部が露出する第３開口部が形成されており、前記突出部は、前記第３開口部よりも前記第１端部側に配置されている。
【０００６】
この構成によれば、ケース本体部から突出する突出部が設けられているため、これら突出部を利用して、ケースを他の部材に接触させて保持することができる。もしくは、突出部は、手で保持する際に手に引っかけて握りやすくすることに寄与することもある。すなわち、突出部を設けることで、種々の使用方法が可能であり、コントローラをケースに収容して用いる際の利便性を向上することができる。例えば、コントローラのカメラで撮影を行う際には、突出部を他の部材に接触させることでケースの位置を固定することができるため、容易にカメラから対象物までの距離を固定することができる。そのため、コントローラをケースに収容して用いる際の利便性を向上させることができる。
【０００７】
なお、第１〜第３操作部は、それぞれ、操作ボタン、アナログスティックなど操作子を少なくとも一つ含んでいる。また、後述する隆起部など、操作子をガイドするような隆起した部材も操作部に含めることができる。また、ケース本体の第１端部及び第２端部は、それぞれ、コントローラの第１端面及び第２端面に対応していればよく、例えば、壁によって構成されているもののみならず、一部または全部に開口などが形成されていてもよい。
【０００８】
ケース本体部は種々の構成にすることができるが、例えば、以下のように構成することができる。
【０００９】
上記第１のケースにおいて、前記突出部は、前記第２端部側を向く接触面を有することができる。
【００１０】
このような第２端部側を向く接触面を設けると、第２端部が下向きになるように、突出部をより確実に他の部材に接触させることができる。なお、ここでいう「接触」とは、他の部材に単に接触する場合のほか、他の部材に引っかかる態様も含み、他の部材と何らかの接触関係にあることを意味する。
【００１１】
上記第１のケースでは、前記突出部において前記接触面を構成する部位を、複数層の板紙により形成することができる。
【００１２】
このように係合部を複数層の板紙により形成すると、接触面を強固にすることができ、例えば、係合部を他の部材に何度も係合させても損傷するのを防止することができる。
【００１３】
なお、複数層の段ボールとは、複数の段ボールを重ねるほか、例えば、一枚あるいは複数枚の段ボールを折り曲げて複数層とすることも意味する。
【００１４】
上記第１のケースにおいて、前記ケース本体部は、前記第１主面と対応する第１面部、前記第２主面と対応する第２面部、前記第１側端面と対応する第１側面部、及び前記第２側端面と対応する第２側面部を備えることができ、前記突出部は、前記第１面部、第２面部、第１側面部、及び第２側面部の少なくとも１つから突出していてもよい。
【００１５】
上記第１のケースにおいて、前記突出部は、前記第１面部から突出する第１突出部材と、前記第２面部から突出する第２突出部材と、を備えることができる。
【００１６】
この構成により、ケースを第１面部側及び第２面部側のいずれの面においても、他の部材に接触させたり、引っかけるなどすることができる。
【００１７】
突出部の形状は特には限定されないが、例えば、以下のような八角形状に形成することができる。
【００１８】
例えば、上記第１のケースにおいて、前記第１突出部材は、前記第１面部と平行な、第１突出面と、前記第１突出面の両側から前記第１側面部及び第２側面部へと傾斜して延びる一対の第１傾斜面とを備えており、前記第２突出部材は、前記第２面部と平行な、第２突出面と、前記第２突出面の両側から前記第１側面部及び第２側面部へと傾斜して延びる一対の第２傾斜面と、を備えることができる。
【００１９】
上記第１のケースにおいて、前記第１突出部材の前記第１面部からの突出高さと、前記第２突出部材の前記第２面部からの突出高さが、略同じであってもよい。
【００２０】
このように、両突出部の高さが同じであるため、他の部材に対して同等に引っかけたり、接触させたりすることができる。
【００２１】
上記第１のケースにおいては、前記コントローラが前記収容空間に収容された場合において、前記第１操作部の少なくとも一部が前記第１開口部から外部に突出するように構成することができ、前記突出部の少なくとも一つは、前記第１面部に設けられ、前記突出部の前記第１面部からの突出高さは、前記第１面部から突出する前記第１操作部の突出高さよりも高くなるように構成することができる。
【００２２】
この構成によれば、突出部の突出高さが、第１操作部の突出高さよりも高いため、第１操作部が他の部材に干渉することなく、突出部を他の部材に引っかけたり、接触させたりすることができる。あるいは、突出した第１操作部が、第１端部側において突出部に隠れるように配置されるため、他の部材の衝突などから第１操作部を保護することができる。
【００２３】
上記第１のケースにおいて、前記コントローラが前記収容空間に収容された場合において、前記第３操作部の少なくとも一部が前記第３開口部から外部に突出するように構成され、前記突出部の少なくとも一つは、前記第２面部に設けられ、前記突出部の前記第２面部からの突出高さは、前記第２面部から突出する前記第３操作部の突出高さよりも高く構成することができる。
【００２４】
この構成によれば、突出部の突出高さが、第３操作部の突出高さよりも高いため、第３操作部が他の部材に干渉することなく、突出部を他の部材に引っかけたり、接触させたりすることができる。あるいは、突出した第３操作部が、第１端部側において突出部に隠れるように配置されるため、他の部材の衝突などから第３操作部を保護することができる。
【００２５】
ケース本体部は種々の態様にすることができるが、例えば、以下のように構成することができる。
【００２６】
上記第１のケースにおいて、前記ケース本体部は、前記コントローラが挿入される挿入口を有し、前記第１端面側の一部を前記挿入口から露出させた状態で当該コントローラを収容する収容部と、前記収容部から露出する前記コントローラの前記第１端面側の一部を覆うように前記収容部の一部に連結される蓋部と、を備えることができ、前記蓋部は、前記挿入口を塞ぐ閉状態と、前記挿入口を開き、前記コントローラの前記第１端面側の一部を露出させる開状態とをとり得るように構成することができる。
【００２７】
このように、ケース本体部を収容部と蓋部とで構成することで、コントローラの全体ではなく、長手方向の一部を収容部に収容した後、蓋部を閉じることでコントローラ全体をケース本部に収容できるため、コントローラを収容しやすくなる。
【００２８】
上記第１のケースにおいて、前記ケース本体部は、前記第１主面と対応する第１面部、前記第２主面と対応する第２面部、前記第１側端面と対応する第１側面部、及び前記第２側端面と対応する第２側面部を備えることができ、前記収容部は、前記第１面部の一部である第１収容部面、前記第２面部の一部である第２収容面部、前記第１側面部の一部である第１収容側面部、及び前記第２側面部の一部である第２収容側面部、を備えることができ、前記蓋部は、前記第１面部の一部である第１蓋面部、前記第２面部の一部である第２蓋面部、前記第１側面部の一部である第１蓋側面部、及び前記第２側面部の一部である第２蓋側面部、を備え、前記第１収容側面部と前記第１蓋側面部とが一体的に連結されており、前記第１収容側面部と前記第１蓋側面部との境界を折り曲げることで、前記蓋部が前記開状態となるように構成することができる。
【００２９】
この構成によれば、収容部の第１収容側面部と蓋部の第１蓋側面部とが折り曲げ可能であるため、この折り曲げ部分をヒンジとして蓋部を収容部に対して揺動させることができる。したがって、挿入口に対し、蓋部を容易に開閉させることができる。
【００３０】
上記第１のケースにおいては、前記第２蓋側面部から突出する突出片が設けられており、前記蓋部が前記閉状態にあるとき、前記突出片が、前記第２収容側面部の内面に係合するように構成することができる。
【００３１】
この構成によれば、蓋部が閉状態にあるとき、突出片が、第２収容側面部の内面に係合するように構成されているため、蓋を揺動させて閉じる際に、突出片を第２収容側面部に係合させるようにすれば、蓋部を収容部に対して正しい位置に配置することができる。すなわち、突出片により、収容部に対する蓋部の位置決めが容易になる。
【００３２】
上記第１のケースにおいては、前記第２収容側面部から突出するロック部材を設けることができ、前記ロック部材は、前記蓋部材を前記閉状態にロックするロック位置と、前記蓋部材を前記閉状態から前記開状態に変位可能なロック解除位置と、を取り得るように、前記第２収容側面部に対して折り曲げ可能に構成することができ、前記ロック部材は、前記ロック位置にあるとき、前記蓋部に形成された被係合部に係合することが可能な突部を備えることができる。
【００３３】
この構成によれば、収容部から延びるロック部材の突部を、蓋部の被係合部に係合させれば、蓋部による閉状態を保持することができ、蓋部が不意に開くのを防止することができる。なお、被係合部は溝、貫通孔、有底の穴などにより形成することができ、ロック部材のロック状態を維持できるのであれば、突部の形状は特には限定されない。
【００３４】
上記第１のケースにおいて、前記収容部には、前記収容空間に収容された前記コントローラが前記第２端部側に移動するのを規制する少なくとも１つの規制部を設けることができる。
【００３５】
この構成により、ケース本体内に収容したコントローラが、ケース本体部の第２端部側に移動するのを防止できるため、コントローラが第２端部の第１開口部から抜け落ちるのを防止することができる。
【００３６】
上記第１のケースにおいて、前記収容部の第２収容側面部は、複数の板材を重ねることで形成することができる。
【００３７】
これにより、規制部をより強固にすることができ、例えば、コントローラをケース本体部に対して強く差し込んでも、規制部が損傷するのを防止することができる。あるいは、コントローラをケース本体部に対して何度も収容しても規制部が損傷するのを防止することができる。
【００３８】
上記第１のケースでは、前記コントローラが前記収容空間に収容された場合において、前記第２操作部に含まれる操作ボタンと対向する位置に配置された可動部材を、さらに備えることができ、前記可動部材は、ユーザにより操作可能な第１部位と、前記コントローラが前記収容空間に収容された場合において前記第１部位に対する前記操作に応じて前記第２操作部の操作ボタンを押し込むことが可能な第２部位と、を備えることができる。
【００３９】
この構成によれば、コントローラを収容するケース本体部に、第２操作部の操作ボタンを押し込み可能な可動部材を設けているため、コントローラをケースに収容した状態であっても、ユーザが第２操作部を操作することができる。
【００４０】
可動部材は、種々の態様でケース本体部に取り付けることができるが、例えば、以下のように構成することができる。
【００４１】
すなわち、上記第１のケースにおいては、前記ケース本体部の前記第１端部側に取り付けられた保持部材をさらに備えることができ、前記保持部材は、前記コントローラが前記収容空間に収容された場合において、前記第２操作部の操作ボタンと対向する位置に形成された貫通孔を有し、前記保持部材は、前記可動部材の第１部位が前記貫通孔から外部に露出するように当該可動部材を保持するように構成することができる。
【００４２】
上記第１のケースにおいて、前記可動部材の第２部位は、前記第２操作部の前記操作ボタンとは線状に接触するように構成することができる。
【００４３】
これにより、可動部材により操作ボタンを押し込むときに、操作ボタンに対して力を集中させることができる。そのため、強い力で押し込まなくても、操作ボタンを操作することができる。
【００４４】
上記第１のケースにおいて、前記可動部材の第２部位は、板材に形成することができ、前記コントローラが前記収容空間に収容された場合において、前記板材の面方向と前記第２操作部の操作ボタンの押し込み方向とが平行になるように構成することができる。
【００４５】
可動部材をケース本体部に対して保持する構成は、種々の態様が考えられるが、例えば、以下のように構成することができる。
【００４６】
上記第１のケースにおいて、前記可動部材が前記貫通孔から離脱すること、及び前記可動部材が前記第２端部側へ移動するのを規制するストッパ部を、当該可動部材に設けることができる。
【００４７】
上記第１のケースにおいて、前記ストッパ部は、前記突出部に覆われるように構成することができる。
【００４８】
このように、突出部によりストッパ部を覆うことで、見た目をよくすることができる。
【００４９】
第２のケースは、第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面とを有するコントローラであって、前記第１主面に設けられる第１操作部と、前記第１端面に設けられる第２操作部と、前記第２主面に設けられる第３操作部と、前記第２端面に設けられる撮像部と、をさらに有する前記コントローラ、を収容するように構成されたケースであって、前記コントローラを収容可能な収容空間を有し、少なくとも一部が板紙により形成されている、ケース本体部、を備え、前記ケース本体部は、前記第１主面と対応する第１面部、前記第２主面と対応する第２面部、前記第１端面と対応する第１端部、前記第２端面と対応する第２端部、前記第１側端面と対応する第１側面部、及び前記第２側端面と対応する第２側面部を備え、前記ケース本体部には、前記第２端部側に設けられ、前記コントローラが前記収容空間に収容された場合において、前記撮像部により当該ケース本体部の外部を撮像可能とするための第１開口部、前記コントローラが前記収容空間に収容された場合において、前記第１操作部の少なくとも一部が露出する第２開口部、及び前記コントローラが前記収容空間に収容された場合において、前記第３操作部の少なくとも一部が露出する第３開口部が形成されている。
【００５０】
この構成によれば、ケース本体部の少なくとも一部を板紙により形成しているため、切断や折曲げが容易になる。したがって、ケース本体部の加工、組み立てを容易に行うことができ、利便性が向上する。なお、ケース本体部の全体を板紙で形成しなくてもよく、例えば、一部を樹脂材料で形成することもできる。
【００５１】
ケース本体部は種々の態様にすることができるが、例えば、以下のように構成することができる。
【００５２】
上記第２のケースにおいて、前記ケース本体部は、前記コントローラが挿入される挿入口を有し、前記第１端面側の一部を前記挿入口から露出させた状態で当該コントローラを収容する収容部と、前記収容部から露出する前記コントローラを覆うように前記収容部の一部に連結される蓋部と、を備えることができ、前記蓋部は、前記挿入口を塞ぐ閉状態と、前記挿入口を開き、前記コントローラの一部を露出させる開状態とをとり得るように、前記収容部に取付けることができる。
【００５３】
このように、ケース本体部を収容部と蓋部とで構成することで、コントローラの全体ではなく、長手方向の一部を収容部に収容した後、蓋部を閉じることでコントローラ全体をケース本体部に収容できるため、コントローラを収容しやすくなる。
【００５４】
上記第２のケースにおいて、前記収容部は、前記第１面部の一部である第１収容面部、前記第２面部の一部である第２収容面部、前記第１側面部の一部である第１収容側面部、及び前記第２側面部の一部である第２収容側面部、を有し、前記蓋部は、前記第１面部の一部である第１蓋面部、前記第２面部の一部である第２蓋面部、前記第１側面部の一部である第１蓋側面部、及び前記第２側面部の一部である第２蓋側面部、を有し、前記第１収容側面部と前記第１蓋側面部とを一体的に連結することができ、前記第１収容側面部と前記第１蓋側面部との境界を折り曲げることで、前記蓋部が前記開状態となるように構成することができる。
【００５５】
この構成によれば、収容部の第１収容側面部と蓋部の第１蓋側面部とが折り曲げ可能に一体化されているため、この折り曲げ部分をヒンジとして蓋部を収容部に対して揺動させることができる。したがって、挿入口に対し、蓋部を容易に開閉させることができる。
【００５６】
上記第２のケースにおいては、前記第２蓋側面部から突出する突出片が設けられており、前記蓋部が前記閉状態にあるとき、前記突出片が、前記第２収容側面部の内面に係合するように構成することができる。
【００５７】
この構成によれば、蓋部が閉状態にあるとき、突出片が、第２収容側面部の内面に係合するように構成されているため、蓋を揺動させて閉じる際に、突出片を第２収容側面部に係合させるようにすれば、蓋部を収容部に対して正しい位置に配置することができる。すなわち、突出片により、収容部に対する蓋部の位置決めが容易になる。
【００５８】
上記第２のケースにおいては、前記第２収容側面部から突出するロック部材を設けることができ、前記ロック部材は、前記蓋部材を前記閉状態にロックするロック位置と、前記蓋部材を前記閉状態から前記開状態に変位可能なロック解除位置と、を取り得るように、前記第２収容側面部に対して折り曲げ可能に構成することができ、前記ロック部材は、前記ロック位置にあるとき、前記蓋部に形成された被係合部に係合することが可能な突部を備えることができる。
【００５９】
この構成によれば、収容部から延びるロック部材の突部を、蓋部の被係合部に係合させれば、蓋部による閉状態を保持することができ、蓋部が不意に開くのを防止することができる。
【００６０】
上記第２のケースにおいて、前記ロック部材は、板状に形成され、前記突部が前記凹部に嵌まっているときに前記第２蓋側面部と接するように構成することができ、前記蓋部の第２蓋側面部には、前記ロック部材を指で引っ掛けるための指入れ用凹部を形成することができる。
【００６１】
あるいは、上記第２のケースにおいて、前記ロック部材は、板状に形成され、前記突部が前記被係合部に係合しているときに前記第２蓋側面部と接するように構成することができ、前記蓋部の第２蓋側面部には、前記ロック部材の周縁の一部に沿うように形成された指入れ用凹部を形成することができる。
【００６２】
これにより、指入れ用凹部に挿入した指によって、ロック部材を容易に引っかけることができるため、ロック部材を容易に折り曲げて突部を被係合部から取り外すことができる。
【００６３】
上記第２のケースにおいて、前記収容部には、前記収容空間に収容された前記コントローラが前記第２端部側に移動するのを規制する少なくとも１つの規制部を設けることができる。
【００６４】
この構成により、ケース本体内に収容したコントローラが、ケース本体部の第２端部側に移動するのを防止できるため、コントローラが第２端部の第１開口部から抜け落ちるのを防止することができる。
【００６５】
規制部は種々の態様にすることができるが、例えば、以下のように構成することができる。
【００６６】
上記第２のケースにおいて、前記規制部は、前記収容部における前記収容空間に設けられ、前記コントローラの前記第２端面に接するように構成することができる。なお、コントローラの第２端面は、例えば湾曲していてもよく、湾曲部分を含めた第２端面に規制部が接するように構成されていればよい。
【００６７】
上記第２のケースにおいて、前記規制部は、複数層の板材により形成することができる。
【００６８】
これにより、規制部をより強固にすることができ、例えば、コントローラをケース本体部に対して強く差し込んでも、規制部が損傷するのを防止することができる。あるいは、コントローラをケース本体部に対して何度も収容しても規制部が損傷するのを防止することができる。
【００６９】
なお、複数層の板材とは、複数の板材を重ねるほか、例えば、一枚あるいは複数枚の板材を折り曲げて複数層とすることも意味する。
【００７０】
上記第２のケースにおいて、前記第１操作部は、前記コントローラが前記収容空間に収容された場合において、前記コントローラの第１主面から突出するアナログスティックを備えることができ、前記コントローラが前記規制部により前記第２端部側への移動を規制されている状態では、前記アナログスティックが前記第２開口部の内縁に接触しないように構成することができる。
【００７１】
アナログスティックは、第１主面の面方向に揺動するように操作されるため、アナログスティックが第２開口部の内縁に接触しないようにすることにより、アナログスティック自体もしくは第２開口部の内縁が損傷することを防止することができる。もしくは、アナログスティックの操作が邪魔されず、スムーズに操作することができる。
【００７２】
上記第２のケースにおいて、前記収容部の第２収容側面部は、複数の板材を重ねることで形成することができる。これにより、第２収容側面部をより強固にすることができる。
【００７３】
第３のケースは、第１主面と、当該第１主面の反対側に設けられた第２主面と、当該第１主面及び第２主面の長手方向における両端に設けられた第１端面及び第２端面と、当該第１主面及び当該第２主面の短手方向における両端に設けられた第１側端面及び第２側端面とを有するコントローラであって、前記第１主面に設けられる第１操作部と、前記第１端面に設けられる第２操作部と、前記第２主面に設けられる第３操作部と、前記第２端面に設けられる撮像部と、をさらに有する前記コントローラ、を収容するように構成されたケースであって、前記コントローラを収容可能な収容空間を有するケース本体部と、前記コントローラが前記収容空間に収容された場合において、前記第２操作部に含まれる操作ボタンと対向する位置に配置された可動部材と、を備え、前記ケース本体部は、前記コントローラが前記収容空間に収容された場合において、前記コントローラの前記第１端面に対応する第１端部と、前記コントローラが前記収容空間に収容された場合において、前記コントローラの前記第２端面に対応する第２端部と、を有する長手形状に形成され、前記ケース本体部には、前記第２端部側に設けられ、前記コントローラが前記収容空間に収容された場合において、前記撮像部により当該ケース本体部の外部を撮像可能とするための第１開口部、前記コントローラが前記収容空間に収容された場合において、前記第１操作部の少なくとも一部が露出する第２開口部、及び前記コントローラが前記収容空間に収容された場合において、前記第３操作部の少なくとも一部が露出する第３開口部が形成されており、前記可動部材は、ユーザにより操作可能な第１部位と、前記コントローラが前記収容空間に収容された場合において前記第１部位に対する前記操作に応じて前記第２操作部の操作ボタンを押し込むことが可能な第２部位と、を備えている。
【００７４】
この構成によれば、コントローラを収容するケース本体部に、第２操作部の操作ボタンを押し込み可能な可動部材を設けているため、コントローラをケースに収容した状態であっても、ユーザが第２操作部を操作することができる。
【００７５】
可動部材は、種々の態様でケース本体部に取り付けることができるが、例えば、以下のように構成することができる。
【００７６】
上記第３のケースにおいて、前記ケース本体部の前記第１端部側に取り付けられた保持部材をさらに備えることができ、前記保持部材は、前記第２操作部の操作ボタンと対向する位置に形成された貫通孔を有し、前記可動部材の第１部位が前記貫通孔から外部に露出するように当該可動部材を保持するように構成することができる。
【００７７】
上記第３のケースにおいて、前記ケース本体部には、収容された前記コントローラが前記第２端部側に移動するのを規制する少なくとも１つの規制部を設けることができる。
【００７８】
この構成により、ケース本体内に収容したコントローラが、ケース本体部の第２端部側に移動するのを防止できるため、コントローラが第２端部の第１開口部から抜け落ちるのを防止することができる。
【００７９】
規制部は、種々の態様にすることができるが、例えば、以下のように構成することができる。
【００８０】
上記第３のケースにおいて、前記規制部の一つである第１規制部を、前記収容部の内部に設け、前記コントローラの前記第２端面に接するように構成することができる。
【００８１】
また、上記第３のケースにおいて、前記コントローラが前記収容空間に収容された場合において、前記第３操作部の少なくとも一部が前記第３開口部から外部に突出するように構成され、前記規制部の一つである第２規制部を、前記第３操作部に係合する前記第３開口部の内縁により構成することができる。
【００８２】
上記第３のケースにおいて、前記可動部材の第２部位は、板材に形成することができ、前記コントローラが前記収容空間に収容された場合において、前記板材の面方向と前記第２操作部の操作ボタンの押し込み方向とが平行になるように構成することができる。
【００８３】
この構成によれば、第２部位が、第２操作部の操作ボタンに対して垂直に接触可能となっているため、この操作ボタンの押し込み時に、第２部位が撓むのを防止することができる。したがって、可動部材を押し込んだとき、その力を操作ボタンに対して、より確実に伝達することができる。なお、「平行」とは完全な平行のみならず、多少傾いている場合も含む。
【００８４】
上記第３のケースにおいて、前記可動部材の第２部位は、前記接触部と前記操作ボタンとは線状に接触するように構成することができる。
【００８５】
これにより、可動部材により操作ボタンを押し込むときに、操作ボタンに対して力を集中させることができる。そのため、強い力で押し込まなくても、操作ボタンを操作することができる。
【００８６】
可動部材をケース本体部に対して保持する構成は、種々の態様が考えられるが、例えば、以下のように構成することができる。
【００８７】
上記第３のケースにおいて、前記可動部材が前記貫通孔から離脱すること、及び前記可動部材が前記第２端部側へ移動するのを規制するストッパ部を、当該可動部材に設けることができる。
【００８８】
上記第３のケースにおいて、前記ケース本体部から突出する突出部をさらに備えることができ、前記ストッパ部は、前記突出部に覆われるように構成できる。
【００８９】
このように突出部を設けることで、上述したような効果を得ることができる。また、突出部によりストッパ部を覆うことで、見た目をよくすることができる。
【発明の効果】
【００９０】
上記コントローラ用のケースによれば、利便性を向上することができる。
【図面の簡単な説明】
【００９１】
【図１】本体装置に左コントローラおよび右コントローラ装着した状態のゲームシステムの一例を示す図である。
【図２】本体装置から左コントローラおよび右コントローラをそれぞれ外した状態のゲームシステムの一例を示す図である。
【図３】図１の本体装置の一例を示す六面図である。
【図４】図１の左コントローラの一例を示す六面図である。
【図５】図１の右コントローラの一例を示す六面図である。
【図６】図１の本体装置の内部構成の一例を示すブロック図である。
【図７】図１の本体装置と左コントローラおよび右コントローラとの内部構成の一例を示すブロック図である。
【図８】ケースを正面側から見た斜視図である。
【図９】ケースを背面側から見た斜視図である。
【図１０】ケース本体部の蓋部を開状態にした正面図である。
【図１１】ケース本体部の展開図である。
【図１２】ケース本体部の組立を説明する斜視図である。
【図１３】ケース本体部の組立を説明する斜視図である。
【図１４】可動部材本体の展開図である。
【図１５】ストッパ部の展開図である。
【図１６】図１５の展開図を折り曲げたストッパ部の平面図である。
【図１７】可動部材の組み立てを説明する斜視図である。
【図１８】可動部材の組み立てを説明する斜視図である。
【図１９】可動部材の組み立てを説明する斜視図である。
【図２０】可動部材の組み立てを説明する斜視図である。
【図２１】カバー部材の展開図である。
【図２２】ケースの組立を説明する斜視図である。
【図２３】ケースの組立を説明する斜視図である。
【図２４】ケースの組立を説明する斜視図である。
【図２５】ケースの使用方法を説明する斜視図である。
【図２６】ケースの使用方法を説明する斜視図である。
【図２７】ケースの使用方法を説明する斜視図である。
【図２８】ケースの使用方法を説明する斜視図である。
【図２９】ケースの使用方法を説明する斜視図である。
【発明を実施するための形態】
【００９２】
以下、本発明に係るコントローラ用ケースの一実施形態について、図面を参照しつつ説明する。以下では、まず、このケースに収容されるゲーム用コントローラ、及びこれを含むゲームシステムについて説明し、その後、ケースについて説明する。
【００９３】
＜１．ゲームシステムの概要＞
以下、本実施形態の一例に係るゲームシステムについて説明する。本実施形態におけるゲームシステム１の一例は、本体装置（情報処理装置；本実施形態ではゲーム装置本体として機能する）２と左コントローラ３および右コントローラ４とを含む。本体装置２は、左コントローラ３および右コントローラ４がそれぞれ着脱可能である。つまり、ゲームシステム１は、左コントローラ３および右コントローラ４をそれぞれ本体装置２に装着して一体化された装置として利用できる。また、ゲームシステム１は、本体装置２と左コントローラ３および右コントローラ４とを別体として利用することもできる（図２参照）。以下では、本実施形態のゲームシステム１のハードウェア構成について説明し、その後に本実施形態のゲームシステム１の制御について説明する。
【００９４】
＜１−１．本体装置＞
図１は、本体装置２に左コントローラ３および右コントローラ４を装着した状態の一例を示す図である。図１に示すように、左コントローラ３および右コントローラ４は、それぞれ本体装置２に装着されて一体化されている。本体装置２は、ゲームシステム１における各種の処理（例えば、ゲーム処理）を実行する装置である。本体装置２は、ディスプレイ１２を備える。左コントローラ３および右コントローラ４は、ユーザが入力を行うための操作部を備える装置である。
【００９５】
図２は、本体装置２から左コントローラ３および右コントローラ４をそれぞれ外した状態の一例を示す図である。図１および図２に示すように、左コントローラ３および右コントローラ４は、本体装置２に着脱可能である。なお、以下において、左コントローラ３および右コントローラ４の総称として「コントローラ」と記載することがある。
【００９６】
図３は、本体装置２の一例を示す六面図である。図３に示すように、本体装置２は、略板状のハウジング１１を備える。本実施形態において、ハウジング１１の主面（換言すれば、表側の面、すなわち、ディスプレイ１２が設けられる面）は、大略的には矩形形状である。
【００９７】
なお、ハウジング１１の形状および大きさは、任意である。一例として、ハウジング１１は、携帯可能な大きさであってよい。また、本体装置２単体または本体装置２に左コントローラ３および右コントローラ４が装着された一体型装置は、携帯型装置となってもよい。また、本体装置２または一体型装置が手持ち型の装置となってもよい。また、本体装置２または一体型装置が可搬型装置となってもよい。
【００９８】
図３に示すように、本体装置２は、ハウジング１１の主面に設けられるディスプレイ１２を備える。ディスプレイ１２は、本体装置２が生成した画像を表示する。本実施形態においては、ディスプレイ１２は、液晶表示装置（ＬＣＤ）とする。ただし、ディスプレイ１２は任意の種類の表示装置であってよい。
【００９９】
また、本体装置２は、ディスプレイ１２の画面上にタッチパネル１３を備える。本実施形態においては、タッチパネル１３は、マルチタッチ入力が可能な方式（例えば、静電容量方式）のものである。ただし、タッチパネル１３は、任意の種類のものであってよく、例えば、シングルタッチ入力が可能な方式（例えば、抵抗膜方式）のものであってもよい。
【０１００】
本体装置２は、ハウジング１１の内部においてスピーカ（すなわち、図６に示すスピーカ８８）を備えている。図３に示すように、ハウジング１１の主面には、スピーカ孔１１ａおよび１１ｂが形成される。そして、スピーカ８８の出力音は、これらのスピーカ孔１１ａおよび１１ｂからそれぞれ出力される。
【０１０１】
また、本体装置２は、本体装置２が左コントローラ３と有線通信を行うための端子である左側端子１７と、本体装置２が右コントローラ４と有線通信を行うための右側端子２１を備える。
【０１０２】
図３に示すように、本体装置２は、スロット２３を備える。スロット２３は、ハウジング１１の上側面に設けられる。スロット２３は、所定の種類の記憶媒体を装着可能な形状を有する。所定の種類の記憶媒体は、例えば、ゲームシステム１およびそれと同種の情報処理装置に専用の記憶媒体（例えば、専用メモリカード）である。所定の種類の記憶媒体は、例えば、本体装置２で利用されるデータ（例えば、アプリケーションのセーブデータ等）、および／または、本体装置２で実行されるプログラム（例えば、アプリケーションのプログラム等）を記憶するために用いられる。また、本体装置２は、電源ボタン２８を備える。
【０１０３】
本体装置２は、下側端子２７を備える。下側端子２７は、本体装置２がクレードルと通信を行うための端子である。本実施形態において、下側端子２７は、ＵＳＢコネクタ（より具体的には、メス側コネクタ）である。上記一体型装置または本体装置２単体をクレードルに載置した場合、ゲームシステム１は、本体装置２が生成して出力する画像を据置型モニタに表示することができる。また、本実施形態においては、クレードルは、載置された上記一体型装置または本体装置２単体を充電する機能を有する。また、クレードルは、ハブ装置（具体的には、ＵＳＢハブ）の機能を有する。
【０１０４】
＜１−２．左コントローラ＞
図４は、左コントローラ３の一例を示す六面図である。図４に示すように、左コントローラ３は、ハウジング３１を備える。本実施形態においては、ハウジング３１は、縦長の形状、すなわち、上下方向（すなわち、図１および図４に示すｙ軸方向）に長い形状である。左コントローラ３は、本体装置２から外された状態において、縦長となる向きで把持されることも可能である。ハウジング３１は、縦長となる向きで把持される場合に片手、特に左手で把持可能な形状および大きさをしている。また、左コントローラ３は、横長となる向きで把持されることも可能である。左コントローラ３が横長となる向きで把持される場合には、両手で把持されるようにしてもよい。
【０１０５】
左コントローラ３は、アナログスティック３２を備える。図４に示すように、アナログスティック３２は、ハウジング３１の主面に設けられる。アナログスティック３２は、方向を入力することが可能な方向入力部として用いることができる。ユーザは、アナログスティック３２を傾倒することによって傾倒方向に応じた方向の入力（および、傾倒した角度に応じた大きさの入力）が可能である。なお、左コントローラ３は、方向入力部として、アナログスティックに代えて、十字キーまたはスライド入力が可能なスライドスティック等を備えるようにしてもよい。また、本実施形態においては、アナログスティック３２を押下する入力が可能である。
【０１０６】
左コントローラ３は、各種操作ボタンを備える。左コントローラ３は、ハウジング３１の主面上に４つの操作ボタン３３〜３６（具体的には、右方向ボタン３３、下方向ボタン３４、上方向ボタン３５、および左方向ボタン３６）を備える。さらに、左コントローラ３は、録画ボタン３７および−（マイナス）ボタン４７を備える。左コントローラ３は、ハウジング３１の側面の左上に第１Ｌボタン３８およびＺＬボタン３９を備える。また、左コントローラ３は、ハウジング３１の側面の、本体装置２に装着される際に装着される側の面に第２Ｌボタン４３および第２Ｒボタン４４を備える。これらの操作ボタンは、本体装置２で実行される各種プログラム（例えば、ＯＳプログラムやアプリケーションプログラム）に応じた指示を行うために用いられる。
【０１０７】
また、左コントローラ３は、左コントローラ３が本体装置２と有線通信を行うための端子４２を備える。
【０１０８】
＜１−３．右コントローラ＞
図５は、右コントローラ４の一例を示す六面図である。図５に示すように、右コントローラ４は、ハウジング５１を備える。本実施形態においては、ハウジング５１は、縦長の形状、すなわち、上下方向に長い形状である。右コントローラ４は、本体装置２から外された状態において、縦長となる向きで把持されることも可能である。ハウジング５１は、縦長となる向きで把持される場合に片手、特に右手で把持可能な形状および大きさをしている。また、右コントローラ４は、横長となる向きで把持されることも可能である。右コントローラ４が横長となる向きで把持される場合には、両手で把持されるようにしてもよい。ここで、説明の便宜のため、右コントローラ４のハウジング５１の外面を次のように規定することする。すなわち、ハウジング５１は概ね直方体状に形成されており、上下方向を長手方向とする長方形状の第１主面、及びこれとは反対側の第２主面を備えている。そして、ハウジング５１において、これら主面の長手方向の上端面が第１端面を構成し、下端面が第２端面を構成する。また、両主面の短手方向の右側面が第１側端面を構成し、左側面が第２側端面を構成する。但し、第１端面は、左端部に長手方向の上方を向く平坦な面を有しているが、右側にいくにしたがって下方に湾曲するように構成され、第１側端面の上端に連結されている。そして、この第１端面には、後述するように、湾曲した第１Ｒボタン６０が配置されている。同様に、第２端面は、左端部に長手方向の下方を向く平坦な面を有しているが、右側にいくにしたがって上方に湾曲するように構成され、第１側端面の下端に連結されている。そして、この第２端面に後述する赤外撮像部１２３及び赤外発光部１２４が配置されている。
【０１０９】
右コントローラ４は、左コントローラ３と同様、方向入力部としてアナログスティック５２を備える。本実施形態においては、アナログスティック５２は、左コントローラ３のアナログスティック３２と同じ構成である。また、右コントローラ４は、アナログスティックに代えて、十字キーまたはスライド入力が可能なスライドスティック等を備えるようにしてもよい。また、右コントローラ４は、左コントローラ３と同様、ハウジング５１の主面上に４つの操作ボタン５３〜５６（具体的には、Ａボタン５３、Ｂボタン５４、Ｘボタン５５、およびＹボタン５６）を備える。さらに、右コントローラ４は、＋（プラス）ボタン５７およびホームボタン５８を備える。これら右コントローラ４の第１主面に設けられたる操作ボタン５３〜５８及びアナログスティック３２が、本発明の第１操作部の一例となる。また、右コントローラ４は、ハウジング５１の第１端面に湾曲した第１Ｒボタン６０を備える。また、第１Ｒボタン６０の背面側には、背面側に突出するとともに、上方から押し込み可能なＺＲボタン６１が設けられている。そして、このＺＲボタン６１の下方には隆起部５００が形成されている。この隆起部５００は、第２主面から膨出する部位でありＺＲボタン６１から下方にいくにしたがって第２主面に向かう傾斜面を有している。ここで、第１Ｒボタン６０が本発明の第２操作部の一例となり、ＺＲボタン６１及び隆起部５００が第３操作部の一例となる。また、右コントローラ４は、左コントローラ３と同様、第２Ｌボタン６５および第２Ｒボタン６６を備える。
【０１１０】
また、ハウジング５１の第２端面には、窓部６８が設けられる。詳細は後述するが、右コントローラ４は、ハウジング５１の内部に配置される赤外撮像部１２３および赤外発光部１２４を備えている。赤外撮像部１２３は、右コントローラ４の下方向（図５に示すｙ軸負方向）を撮像方向として、窓部６８を介して右コントローラ４の周囲を撮像する。赤外発光部１２４は、右コントローラ４の下方向（図５に示すｙ軸負方向）を中心とする所定範囲を照射範囲として、赤外撮像部１２３が撮像する撮像対象に窓部６８を介して赤外光を照射する。窓部６８は、赤外撮像部１２３のカメラのレンズや赤外発光部１２４の発光体等を保護するためのものであり、当該カメラが検知する波長の光や当該発光体が照射する光を透過する材質（例えば、透明な材質）で構成される。なお、窓部６８は、ハウジング５１に形成された孔であってもよい。なお、本実施形態においては、カメラが検知する光（本実施形態においては、赤外光）以外の波長の光の透過を抑制するフィルタ部材を赤外撮像部１２３自身が有する。ただし、他の実施形態においては、窓部６８がフィルタの機能を有していてもよい。
【０１１１】
また、詳細は後述するが、右コントローラ４は、ＮＦＣ通信部１２２を備える。ＮＦＣ通信部１２２は、ＮＦＣ（Ｎｅａｒ  Ｆｉｅｌｄ  Ｃｏｍｍｕｎｉｃａｔｉｏｎ）の規格に基づく近距離無線通信を行う。ＮＦＣ通信部１２２は、近距離無線通信に用いられるアンテナ１２２ａと、アンテナ１２２ａから送出すべき信号（電波）を生成する回路（例えばＮＦＣチップ）とを有する。なお、ＮＦＣ通信部１２２は、ＮＦＣの規格に基づく近距離無線通信を行う代わりに、任意の近接通信（非接触通信とも言う）で近距離無線通信を行うようにしてもよい。ここで、ＮＦＣの規格は、近接通信（非接触通信）に用いることができるものであり、「任意の近接通信で近距離無線通信を行うようにしてもよい」とは、ＮＦＣの規格による近接通信を除いた他の近接通信で近距離無線通信を行ってもよいことを意図している。
【０１１２】
また、右コントローラ４は、右コントローラ４が本体装置２と有線通信を行うための端子６４を備える。
【０１１３】
＜１−４．本体装置の内部構成＞
図６は、本体装置２の内部構成の一例を示すブロック図である。本体装置２は、図３に示す構成の他、図６に示す各構成要素８１〜９１、９７、および９８を備える。これらの構成要素８１〜９１、９７、および９８のいくつかは、電子部品として電子回路基板上に実装されてハウジング１１内に収納されてもよい。
【０１１４】
本体装置２は、プロセッサ８１を備える。プロセッサ８１は、本体装置２において実行される各種の情報処理を実行する情報処理部であって、例えば、ＣＰＵ（Ｃｅｎｔｒａｌ  Ｐｒｏｃｅｓｓｉｎｇ  Ｕｎｉｔ）のみから構成されてもよいし、ＣＰＵ機能、ＧＰＵ（Ｇｒａｐｈｉｃｓ  Ｐｒｏｃｅｓｓｉｎｇ  Ｕｎｉｔ）機能等の複数の機能を含むＳｏＣ（Ｓｙｓｔｅｍ−ｏｎ−ａ−ｃｈｉｐ）から構成されてもよい。プロセッサ８１は、記憶部（具体的には、フラッシュメモリ８４等の内部記憶媒体、あるいは、スロット２３に装着される外部記憶媒体等）に記憶される情報処理プログラム（例えば、ゲームプログラム）を実行することによって、各種の情報処理を実行する。
【０１１５】
本体装置２は、自身に内蔵される内部記憶媒体の一例として、フラッシュメモリ８４およびＤＲＡＭ（Ｄｙｎａｍｉｃ  Ｒａｎｄｏｍ  Ａｃｃｅｓｓ  Ｍｅｍｏｒｙ）８５を備える。フラッシュメモリ８４およびＤＲＡＭ８５は、プロセッサ８１に接続される。フラッシュメモリ８４は、主に、本体装置２に保存される各種のデータ（プログラムであってもよい）を記憶するために用いられるメモリである。ＤＲＡＭ８５は、情報処理において用いられる各種のデータを一時的に記憶するために用いられるメモリである。
【０１１６】
本体装置２は、スロットインターフェース（以下、「Ｉ／Ｆ」と略記する。）９１を備える。スロットＩ／Ｆ９１は、プロセッサ８１に接続される。スロットＩ／Ｆ９１は、スロット２３に接続され、スロット２３に装着された所定の種類の記憶媒体（例えば、専用メモリカード）に対するデータの読み出しおよび書き込みを、プロセッサ８１の指示に応じて行う。
【０１１７】
プロセッサ８１は、フラッシュメモリ８４およびＤＲＡＭ８５、ならびに上記各記憶媒体との間でデータを適宜読み出したり書き込んだりして、上記の情報処理を実行する。
【０１１８】
本体装置２は、ネットワーク通信部８２を備える。ネットワーク通信部８２は、プロセッサ８１に接続される。ネットワーク通信部８２は、ネットワークを介して外部の装置と通信（具体的には、無線通信）を行う。本実施形態においては、ネットワーク通信部８２は、第１の通信態様としてＷｉ−Ｆｉの規格に準拠した方式により、無線ＬＡＮに接続して外部装置と通信を行う。また、ネットワーク通信部８２は、第２の通信態様として所定の通信方式（例えば、独自プロトコルによる通信や、赤外線通信）により、同種の他の本体装置２との間で無線通信を行う。なお、上記第２の通信態様による無線通信は、閉ざされたローカルネットワークエリア内に配置された他の本体装置２との間で無線通信可能であり、複数の本体装置２の間で直接通信することによってデータが送受信される、いわゆる「ローカル通信」を可能とする機能を実現する。
【０１１９】
本体装置２は、コントローラ通信部８３を備える。コントローラ通信部８３は、プロセッサ８１に接続される。コントローラ通信部８３は、左コントローラ３および／または右コントローラ４と無線通信を行う。本体装置２と左コントローラ３および右コントローラ４との通信方式は任意であるが、本実施形態においては、コントローラ通信部８３は、左コントローラ３との間および右コントローラ４との間で、Ｂｌｕｅｔｏｏｔｈ（登録商標）の規格に従った通信を行う。
【０１２０】
プロセッサ８１は、上述の左側端子１７、右側端子２１、および下側端子２７に接続される。プロセッサ８１は、左コントローラ３と有線通信を行う場合、左側端子１７を介して左コントローラ３へデータを送信するとともに、左側端子１７を介して左コントローラ３から操作データを受信する。また、プロセッサ８１は、右コントローラ４と有線通信を行う場合、右側端子２１を介して右コントローラ４へデータを送信するとともに、右側端子２１を介して右コントローラ４から操作データを受信する。また、プロセッサ８１は、クレードルと通信を行う場合、下側端子２７を介してクレードルへデータを送信する。このように、本実施形態においては、本体装置２は、左コントローラ３および右コントローラ４との間で、それぞれ有線通信と無線通信との両方を行うことができる。また、左コントローラ３および右コントローラ４が本体装置２に装着された一体型装置または本体装置２単体がクレードルに装着された場合、本体装置２は、クレードルを介してデータ（例えば、画像データや音声データ）を据置型モニタ等に出力することができる。
【０１２１】
ここで、本体装置２は、複数の左コントローラ３と同時に（換言すれば、並行して）通信を行うことができる。また、本体装置２は、複数の右コントローラ４と同時に（換言すれば、並行して）通信を行うことができる。したがって、複数のユーザは、左コントローラ３および右コントローラ４のセットをそれぞれ用いて、本体装置２に対する入力を同時に行うことができる。一例として、第１ユーザが左コントローラ３および右コントローラ４の第１セットを用いて本体装置２に対して入力を行うと同時に、第２ユーザが左コントローラ３および右コントローラ４の第２セットを用いて本体装置２に対して入力を行うことが可能となる。
【０１２２】
本体装置２は、タッチパネル１３の制御を行う回路であるタッチパネルコントローラ８６を備える。タッチパネルコントローラ８６は、タッチパネル１３とプロセッサ８１との間に接続される。タッチパネルコントローラ８６は、タッチパネル１３からの信号に基づいて、例えばタッチ入力が行われた位置を示すデータを生成して、プロセッサ８１へ出力する。
【０１２３】
また、ディスプレイ１２は、プロセッサ８１に接続される。プロセッサ８１は、（例えば、上記の情報処理の実行によって）生成した画像および／または外部から取得した画像をディスプレイ１２に表示する。
【０１２４】
本体装置２は、コーデック回路８７およびスピーカ（具体的には、左スピーカおよび右スピーカ）８８を備える。コーデック回路８７は、スピーカ８８および音声入出力端子２５に接続されるとともに、プロセッサ８１に接続される。コーデック回路８７は、スピーカ８８および音声入出力端子２５に対する音声データの入出力を制御する回路である。
【０１２５】
また、本体装置２は、加速度センサ８９を備える。本実施形態においては、加速度センサ８９は、所定の３軸（例えば、図１に示すｘｙｚ軸）方向に沿った加速度の大きさを検出する。なお、加速度センサ８９は、１軸方向あるいは２軸方向の加速度を検出するものであってもよい。
【０１２６】
また、本体装置２は、角速度センサ９０を備える。本実施形態においては、角速度センサ９０は、所定の３軸（例えば、図１に示すｘｙｚ軸）回りの角速度を検出する。なお、角速度センサ９０は、１軸回りあるいは２軸回りの角速度を検出するものであってもよい。
【０１２７】
加速度センサ８９および角速度センサ９０は、プロセッサ８１に接続され、加速度センサ８９および角速度センサ９０の検出結果は、プロセッサ８１へ出力される。プロセッサ８１は、上記の加速度センサ８９および角速度センサ９０の検出結果に基づいて、本体装置２の動きおよび／または姿勢に関する情報を算出することが可能である。
【０１２８】
本体装置２は、電力制御部９７およびバッテリ９８を備える。電力制御部９７は、バッテリ９８およびプロセッサ８１に接続される。また、図示しないが、電力制御部９７は、本体装置２の各部（具体的には、バッテリ９８の電力の給電を受ける各部、左側端子１７、および右側端子２１）に接続される。電力制御部９７は、プロセッサ８１からの指令に基づいて、バッテリ９８から上記各部への電力供給を制御する。
【０１２９】
また、バッテリ９８は、下側端子２７に接続される。外部の充電装置（例えば、クレードル）が下側端子２７に接続され、下側端子２７を介して本体装置２に電力が供給される場合、供給された電力がバッテリ９８に充電される。
【０１３０】
＜１−５．コントローラの内部構成＞
図７は、本体装置２と左コントローラ３および右コントローラ４との内部構成の一例を示すブロック図である。なお、本体装置２に関する内部構成の詳細については、図６で示しているため図７では省略している。
【０１３１】
左コントローラ３は、本体装置２との間で通信を行う通信制御部１０１を備える。図７に示すように、通信制御部１０１は、端子４２を含む各構成要素に接続される。本実施形態においては、通信制御部１０１は、端子４２を介した有線通信と、端子４２を介さない無線通信との両方で本体装置２と通信を行うことが可能である。通信制御部１０１は、左コントローラ３が本体装置２に対して行う通信方法を制御する。すなわち、左コントローラ３が本体装置２に装着されている場合、通信制御部１０１は、端子４２を介して本体装置２と通信を行う。また、左コントローラ３が本体装置２から外されている場合、通信制御部１０１は、本体装置２（具体的には、コントローラ通信部８３）との間で無線通信を行う。コントローラ通信部８３と通信制御部１０１との間の無線通信は、例えばＢｌｕｅｔｏｏｔｈ（登録商標）の規格に従って行われる。
【０１３２】
また、左コントローラ３は、例えばフラッシュメモリ等のメモリ１０２を備える。通信制御部１０１は、例えばマイコン（マイクロプロセッサとも言う）で構成され、メモリ１０２に記憶されるファームウェアを実行することによって各種の処理を実行する。
【０１３３】
左コントローラ３は、各ボタン１０３（具体的には、ボタン３３〜３９、４３、４４、および４７）を備える。また、左コントローラ３は、アナログスティック（図７では「スティック」と記載する）３２を備える。各ボタン１０３およびアナログスティック３２は、自身に対して行われた操作に関する情報を、適宜のタイミングで繰り返し通信制御部１０１へ出力する。
【０１３４】
左コントローラ３は、慣性センサを備える。具体的には、左コントローラ３は、加速度センサ１０４を備える。また、左コントローラ３は、角速度センサ１０５を備える。本実施形態においては、加速度センサ１０４は、所定の３軸（例えば、図４に示すｘｙｚ軸）方向に沿った加速度の大きさを検出する。なお、加速度センサ１０４は、１軸方向あるいは２軸方向の加速度を検出するものであってもよい。本実施形態においては、角速度センサ１０５は、所定の３軸（例えば、図４に示すｘｙｚ軸）回りの角速度を検出する。なお、角速度センサ１０５は、１軸回りあるいは２軸回りの角速度を検出するものであってもよい。加速度センサ１０４および角速度センサ１０５は、それぞれ通信制御部１０１に接続される。そして、加速度センサ１０４および角速度センサ１０５の検出結果は、適宜のタイミングで繰り返し通信制御部１０１へ出力される。
【０１３５】
通信制御部１０１は、各入力部（具体的には、各ボタン１０３、アナログスティック３２、各センサ１０４および１０５）から、入力に関する情報（具体的には、操作に関する情報、またはセンサによる検出結果）を取得する。通信制御部１０１は、取得した情報（または取得した情報に所定の加工を行った情報）を含む操作データを本体装置２へ送信する。なお、操作データは、所定時間に１回の割合で繰り返し送信される。なお、入力に関する情報が本体装置２へ送信される間隔は、各入力部について同じであってもよいし、同じでなくてもよい。
【０１３６】
上記操作データが本体装置２へ送信されることによって、本体装置２は、左コントローラ３に対して行われた入力を得ることができる。すなわち、本体装置２は、各ボタン１０３およびアナログスティック３２に対する操作を、操作データに基づいて判別することができる。また、本体装置２は、左コントローラ３の動きおよび／または姿勢に関する情報を、操作データ（具体的には、加速度センサ１０４および角速度センサ１０５の検出結果）に基づいて算出することができる。
【０１３７】
左コントローラ３は、振動によってユーザに通知を行うための振動子１０７を備える。本実施形態においては、振動子１０７は、本体装置２からの指令によって制御される。すなわち、通信制御部１０１は、本体装置２からの上記指令を受け取ると、当該指令に従って振動子１０７を駆動させる。ここで、左コントローラ３は、コーデック部１０６を備える。通信制御部１０１は、上記指令を受け取ると、指令に応じた制御信号をコーデック部１０６へ出力する。コーデック部１０６は、通信制御部１０１からの制御信号から振動子１０７を駆動させるための駆動信号を生成して振動子１０７へ与える。これによって振動子１０７が動作する。
【０１３８】
振動子１０７は、より具体的にはリニア振動モータである。リニア振動モータは、回転運動をする通常のモータと異なり、入力される電圧に応じて所定方向に駆動されるため、入力される電圧の波形に応じた振幅および周波数で振動をさせることができる。本実施形態において、本体装置２から左コントローラ３に送信される振動制御信号は、単位時間ごとに周波数と振幅とを表すデジタル信号であってよい。別の実施形態においては、本体装置２から波形そのものを示す情報を送信するようにしてもよいが、振幅および周波数だけを送信することで通信データ量を削減することができる。また、さらにデータ量を削減するため、そのときの振幅および周波数の数値に替えて、前回の値からの差分だけを送信するようにしてもよい。この場合、コーデック部１０６は、通信制御部１０１から取得される振幅および周波数の値を示すデジタル信号をアナログの電圧の波形に変換し、当該波形に合わせて電圧を入力することで振動子１０７を駆動させる。したがって、本体装置２は、単位時間ごとに送信する振幅および周波数を変えることによって、そのときに振動子１０７を振動させる振幅および周波数を制御することができる。なお、本体装置２から左コントローラ３に送信される振幅および周波数は、１つに限らず、２つ以上送信するようにしてもよい。その場合、コーデック部１０６は、受信された複数の振幅および周波数それぞれが示す波形を合成することで、振動子１０７を制御する電圧の波形を生成することができる。
【０１３９】
左コントローラ３は、電力供給部１０８を備える。本実施形態において、電力供給部１０８は、バッテリおよび電力制御回路を有する。図示しないが、電力制御回路は、バッテリに接続されるとともに、左コントローラ３の各部（具体的には、バッテリの電力の給電を受ける各部）に接続される。
【０１４０】
図７に示すように、右コントローラ４は、本体装置２との間で通信を行う通信制御部１１１を備える。また、右コントローラ４は、通信制御部１１１に接続されるメモリ１１２を備える。通信制御部１１１は、端子６４を含む各構成要素に接続される。通信制御部１１１およびメモリ１１２は、左コントローラ３の通信制御部１０１およびメモリ１０２と同様の機能を有する。したがって、通信制御部１１１は、端子６４を介した有線通信と、端子６４を介さない無線通信（具体的には、Ｂｌｕｅｔｏｏｔｈ（登録商標）の規格に従った通信）との両方で本体装置２と通信を行うことが可能であり、右コントローラ４が本体装置２に対して行う通信方法を制御する。
【０１４１】
右コントローラ４は、左コントローラ３の各入力部と同様の各入力部を備える。具体的には、各ボタン１１３、アナログスティック５２、慣性センサ（加速度センサ１１４および角速度センサ１１５）を備える。これらの各入力部については、左コントローラ３の各入力部と同様の機能を有し、同様に動作する。
【０１４２】
また、右コントローラ４は、振動子１１７およびコーデック部１１６を備える。振動子１１７およびコーデック部１１６は、左コントローラ３の振動子１０７およびコーデック部１０６と同様に動作する。すなわち、通信制御部１１１は、本体装置２からの指令に従って、コーデック部１１６を用いて振動子１１７を動作させる。
【０１４３】
右コントローラ４は、ＮＦＣの規格に基づく近距離無線通信を行うＮＦＣ通信部１２２を備える。ＮＦＣ通信部１２２は、いわゆるＮＦＣリーダ・ライタの機能を有する。ここで、本明細書において近距離無線通信とは、一方の装置（ここでは、右コントローラ４）からの電波によって（例えば電磁誘導によって）他方の装置（ここでは、アンテナ１２２ａと近接する装置）に起電力を発生させる通信方式が含まれる。他方の装置は、発生した起電力によって動作することが可能であり、電源を有していてもよいし有していなくてもよい。ＮＦＣ通信部１２２は、右コントローラ４（アンテナ１２２ａ）と通信対象とが接近した場合（典型的には、両者の距離が十数センチメートル以下となった場合）に当該通信対象との間で通信可能となる。通信対象は、ＮＦＣ通信部１２２との間で近距離無線通信が可能な任意の装置であり、例えばＮＦＣタグやＮＦＣタグの機能を有する記憶媒体である。ただし、通信対象は、ＮＦＣのカードエミュレーション機能を有する他の装置であってもよい。
【０１４４】
また、右コントローラ４は、第２端面に赤外撮像部１２３を備える。赤外撮像部１２３は、右コントローラ４の周囲を撮像する赤外線カメラを有する。一例として、本体装置２および／または右コントローラ４は、撮像された情報（例えば、撮像された撮像画像における少なくとも一部の領域全体を分割した複数のブロックの輝度に関連する情報等）を算出し、当該情報に基づいて、右コントローラ４の周囲変化を判別する。また、赤外撮像部１２３は、環境光によって撮像を行ってもよいが、本実施形態においては、赤外線を照射する赤外発光部１２４を有する。赤外発光部１２４は、例えば、赤外線カメラが画像を撮像するタイミングと同期して、赤外線を照射する。そして、赤外発光部１２４によって照射された赤外線が撮像対象によって反射され、当該反射された赤外線が赤外線カメラによって受光されることで、赤外線の画像が取得される。これによって、赤外撮像部１２３は、より鮮明な赤外線画像を得ることができる。なお、赤外撮像部１２３と赤外発光部１２４とは、それぞれ別のデバイスとして右コントローラ４内に設けられてもよいし、同じパッケージ内に設けられた単一のデバイスとして右コントローラ４内に設けられてもよい。また、本実施形態においては、赤外線カメラを有する赤外撮像部１２３が用いられるが、他の実施形態においては、撮像手段として、赤外線カメラに代えて可視光カメラ（可視光イメージセンサを用いたカメラ）が用いられてもよい。
【０１４５】
右コントローラ４は、処理部１２１を備える。処理部１２１は、通信制御部１１１に接続される。また、処理部１２１は、ＮＦＣ通信部１２２、赤外撮像部１２３、および赤外発光部１２４に接続される。処理部１２１は、本体装置２からの指令に応じて、ＮＦＣ通信部１２２に対する管理処理を実行する。例えば、処理部１２１は、本体装置２からの指令に応じてＮＦＣ通信部１２２の動作を制御する。また、処理部１２１は、ＮＦＣ通信部１２２の起動を制御したり、通信対象（例えば、ＮＦＣタグ）に対するＮＦＣ通信部１２２の動作（具体的には、読み出しおよび書き込み等）を制御したりする。また、処理部１２１は、通信制御部１１１を介して通信対象に送信されるべき情報を本体装置２から受信してＮＦＣ通信部１２２へ渡したり、通信対象から受信された情報をＮＦＣ通信部１２２から取得して通信制御部１１１を介して本体装置２へ送信したりする。
【０１４６】
また、処理部１２１は、ＣＰＵやメモリ等を含み、右コントローラ４に備えられた図示しない記憶装置（例えば、不揮発性メモリ等）に記憶された所定のプログラム（例えば、画像処理や各種演算を行うためのアプリケーションプログラム）に基づいて、本体装置２からの指令に応じて赤外撮像部１２３に対する管理処理を実行する。例えば、処理部１２１は、赤外撮像部１２３に撮像動作を行わせたり、撮像結果に基づく情報（撮像画像の情報、あるいは、当該情報から算出される情報等）を取得および／または算出して通信制御部１１１を介して本体装置２へ送信したりする。また、処理部１２１は、本体装置２からの指令に応じて赤外発光部１２４に対する管理処理を実行する。例えば、処理部１２１は、本体装置２からの指令に応じて赤外発光部１２４の発光を制御する。なお、処理部１２１が処理を行う際に用いるメモリは、処理部１２１内に設けられてもいいし、メモリ１１２であってもよい。
【０１４７】
右コントローラ４は、電力供給部１１８を備える。電力供給部１１８は、左コントローラ３の電力供給部１０８と同様の機能を有し、同様に動作する。
【０１４８】
＜２．ケース＞
次に、上述したゲームシステムにおける右コントローラ４を収容するケース１００について説明する。以下では、まず、ケース１００の外観について説明した後、各ケース１００を構成するパーツについて詳細に説明する。その後、ケース１００の組立方法及び使用方法について説明する。
【０１４９】
＜２−１．ケースの概要＞
図８はケースを正面側から見た斜視図、図９はケースを背面側から見た斜視図である。以下では、説明の便宜のため、図８及び図９に記載の方向にしたがって、説明を行うこととする。図８及び図９に示すように、このケース１００は、一例として段ボールによって形成されており、長手形状である直方体状のケース本体部１１０を備えている。そして、このケース本体部１１０の長手方向に上端部にカバー部材１２０及び可動部材１３０が取付けられている。なお、ケース本体部１１０の上端部が本発明に係るケース本体部の第１端部の一例に相当し、ケース本体部１１０の下端部が本発明に係るケース本体部の第２端部の一例に相当する。
【０１５０】
図８及び図９に示すように、ケース本体部１１０は、上記のように直方体状に形成され、図８の上側に位置する長方形状の前面（第１面）７１、前面７１とは反対側に位置する長方形状の背面（第２面）７２、前面７１の右側に位置する右側面（第１側面）７３、及び前面７１の左側に位置する左側面（第２側面）７４を備えている。そして、これらの面７１〜７４によって囲まれた収容空間に右コントローラ４が収容される。ケース本体部１１０の上端部には、カバー部材１２０が取付けられており、このカバー部材１２０によって、ケース本体部１１０の前面７１及び背面７２の上端部付近には、突出部４５がそれぞれ形成されている。前面７１側の突出部（第１突出部材）４５は、前面７１と平行な矩形状の突出面１７２と、その両側から右側面７３及び左側面７４に向かってそれぞれ傾斜して延びる一対の矩形状の突出側面１８２、１８６（図２１参照）と、を備えており、下側（第２端部側）から見たときに台形状に形成されている。また、図９に示すように、背面７２側の突出部（第２突出部材）４５も同様に形成されている。両突出部４５の上面及びケース本体部１１０の上部は、カバー部材１２０の一部である平面視八角形状の天板部９２によって覆われている。また、図８に示すように、各突出部４５の下面もカバー部材１２０の一部である台形状の下面部１７３により構成されている。そして、ケース本体部１１０の前面７１及び背面７２から突出する各突出部４５の突出高さＨ（前面７１または背面７２から最も高い部分までの高さ）は、同じになるように形成されている。
【０１５１】
可動部材１３０は、直方体状に形成され、後述する天板部９２に形成された矩形状の貫通孔９２１から突出している。そして、この可動部材１３０を押し込むと、ケース１００に収容された右コントローラ４の第１Ｒボタン６０を押し込むことができるようになっている。
【０１５２】
また、図８に示すように、ケース本体部１１０の下端部には、第１開口部６３が形成されており、この第１開口部６３から右コントローラ４の赤外撮像部１２３が露出するようになっている。また、この第１開口部６３からは赤外発光部１２４も露出するようになっている。さらに、ケース本体部１１０の前面７１には、右コントローラ４の第１主面に設けられたボタン及びアナログスティックが露出する第２大開口部６７及びホームボタン５８が露出する第２小開口部６７１が形成されている。また、図９に示すように、ケース本体部１１０の背面には、右コントローラ４の第１端面に設けられたＺＲボタン６１の少なくとも一部及びその下方に配置された隆起部６１１の少なくとも一部が露出する第３開口部６９が形成されている。
【０１５３】
図１０に示すように、ケース本体部１１０は、右コントローラ４を収容するために、２つのパーツ、つまり収容部１４０と蓋部１５０とにより構成されている。すなわち、このケース本体部１１０は、上下方向の中間部よりもやや上方の位置で収容部１４０と蓋部１５０とに別れている。収容部１４０は、上端に挿入口２５０を有しており、この挿入口２５０から挿入された右コントローラ４は、後述するように、右コントローラ４の上端部の一部が露出した状態で、大半の部分が収容部１４０に収容される。一方、蓋部１５０は、露出した右コントローラ４の上端部を覆い、且つ、収容部１４０の挿入口２５０を塞ぐように配置される。また、蓋部１５０には、上述したカバー部材１２０及び可動部材１３０が取付けられている。そして、収容部１４０と蓋部１５０とは、ケース本体部１１０の左側面７４において連結されており、この部分をヒンジ１６９として、蓋部１５０は、収容部１４０に対して、揺動可能となっている。これにより、蓋部１５０は、収容部１４０の挿入口２５０を閉じる閉状態と、挿入口２５０を開く開状態とに変位可能となっている。
【０１５４】
＜２−２．ケースの構成部品とケースの組立＞
次に、ケース１００の構成部品について説明する。上記のように、このケース１００は、段ボールで形成されたケース本体部１１０、カバー部材１２０、及び可動部材１３０を組立てることで形成されている。以下では、各部材について、展開図を参照しながら詳細に説明し、その後、ケースの組立について説明する。
【０１５５】
＜２−２−１．ケース本体＞
図１１は、ケース本体部の展開図である。図１１においてケース本体部１１０の内部に記載されている線は、実線が切れ込み線を示し、破線が折り曲げ線を示している。この点は、本実施形態で説明する、すべての展開図について同じである。そして、このケース本体部１１０は、一枚の段ボールにより一体的に形成されている。
【０１５６】
図１１に示すように、ケース本体部１１０は、右から左に向かって並ぶ、右側面７３、前面７１、左側面７４、背面７２、及び補強面７５を備えており、これらは折り曲げ線を介して折り曲げ可能に連結されている。
【０１５７】
上記のように、ケース本体部１１０は、収容部１４０と蓋部１５０とに別れているが、右側面７３、前面７１、左側面７４、背面７２、及び補強面７５において、収容部１４０と対応する部分を、第１右側面部７３１、第１前面部７１１、第１左側面部７４１、第１背面部７２１、及び第１補強部７５１と称することとする。一方、蓋部１５０に対応する部分は、第２右側面部７３２、第２前面部７１２、第２左側面部７４２、第２背面部７２２、及び第２補強部７５２と称することとする。
【０１５８】
まず、右側面７３について説明する。右側面７３は、右コントローラ４の右側端面を覆う部分であり、上記のように、上下方向に並ぶ第１右側面部７３１と第２右側面部７３２とで構成されている。第１右側面部７３１の右側の側縁の中央付近には、右側へ突出する第１差込片７３３が折り曲げ可能に連結されている。また、第１右側面部７３１の下端には、ケース本体部１１０の右下の角部を構成する矩形状の角部材７６１が折り曲げ可能に連結されている。そして、この角部材７６１と第１右側面部７３１との境界の折り曲げ線付近には、矩形状の係合孔７６２が形成されている。また、この角部材７６１の先端部には、複数の折り曲げ線を介して補強板７６３が連結されており、補強板７６３の先端には、上述した係合孔７６２に係合可能な係合凸部７６４が設けられている。
【０１５９】
一方、第１右側面部７３１の上端には、固定片（ロック部材）７７０が折り曲げ可能に連結されている。固定片７７０は、第１右側面部７３１の上端に折り曲げ可能に連結された台形状の第１部位７７１と、この第１部位７７１の上縁の右側から上方に延びる矩形状の第２部位７７２とを備えており、これらは一体的に形成されている。そして、この第２部位７７２の右側縁には、右側に突出する突部７７３が折り曲げ可能に連結されている。図８及び図１０に示すように、固定片７７０は、収容部１４０の挿入口２５０から上方に延び、蓋部１５０の右側面７３を構成する部位であり、蓋部１５０を閉状態にロックするための部材である。そして、固定片７７０から折り曲げられた突部７７３は後述する第３差込孔７５５に挿入され、これによって、固定片７７０が蓋部１５０に固定される。
【０１６０】
次に、第２右側面部７３２について説明する。第２右側面部７３２は、固定片７７０の第２部位７７２の上側に配置される矩形状の基部７３４と、この基部７３４の下端の左側から下方に延びる延在部７３５と、を備えている。延在部７３５は、固定片７７０の第２部位７７２の左側に並ぶように配置されている。そして、基部７３４と延在部７３５とは一体的に形成され、後述する第２前面部７１２の右側縁に折り曲げ可能に連結されている。また、基部７３４の下縁には、凹部７７４が形成されており、この凹部７７４と固定片７７０の上縁とで、指を引っ掛けるための指入れ穴（指入れ用凹部）を構成している。また、基部７３４の右側縁には、右側に突出する第２差込片７３６が折り曲げ可能に連結されている。
【０１６１】
次に、前面７１について説明する。前面７１は、右コントローラ４の第１主面を覆う部分であり、上記のように、上下方向に並ぶ第１前面部７１１と第２前面部７１２とで構成されている。第１前面部７１１の上端には上方に開放する第１切り欠き７１３が形成されており、上述した第２大開口部６７の一部を構成している。この第１切り欠き７１３は、幅の大きい第１部位７１４と、幅の小さい第２部位７１５とを上下方向に連結することで形成されている。第１部位７１４は、第１前面部７１１の上端から下方に延びる矩形状の部位であり、右コントローラ４の４つの操作ボタン５３〜５６を外部に露出させるための部位である。
【０１６２】
一方、第２部位７１５は第１部位７１４から下方に延びる矩形状に形成されており、下端部が円弧状に形成されている。そして、この第２部位７１５からは、右コントローラ４のアナログスティック５２が外部に露出するようになっている。また、第２部位７１５の下方には、上述した第２小開口部６７１を構成する円形の貫通孔が形成されており、この第２小開口部６７１からは右コントローラ４のホームボタン５８が露出するようになっている。
【０１６３】
また、第１前面部７１１の右下端の角部には、斜めに延びる折り曲げ線を介して、三角形状の第１補強角部７１６０が連結されている。この折り曲げ線は、上方から下方にいくにしたがって左側に延びている。
【０１６４】
続いて、第２前面部７１２について説明する。第２前面部７１２は矩形状に形成されており、その上端部には矩形状の第２切り欠き７１６が形成されている。この第２切り欠き７１６は、上方に開放されており、後述する可動部材１３０を取付けるために用いられる。一方、第２前面部７１２の下端には、下方に開放する第３切り欠き７１７が形成されており、この第３切り欠き７１７と第１前面部７１１の第１切り欠き７１３とで、第２大開口部６７を構成する。第３切り欠き７１７は、台形状の第１部位７１８と、この第１部位７１８の左端部から上方に突出する第２部位７１９とで構成されている。第１部位７１８は、第１切り欠き７１３の上端と連結される部位であり、第２部位７１９は、右コントローラ４のプラスボタン５７が露出する部位である。
【０１６５】
また、第２前面部７１２の上下方向の中間付近には、左右方向に並ぶ２個の取付孔７１０が形成されている。これら取付孔７１０は、矩形状に形成されて、第２前面部７１２を貫通しており、後述するカバー部材１２０を取付けるために用いられる。
【０１６６】
続いて、左側面７４について説明する。左側面７４は、右コントローラ４の左側端面を覆う幅の狭い部分であり、上記のように、上下方向に並ぶ第１左側面部７４１と第２左側面部７４２とで構成されている。第１左側面部７４１と第２左側面部７４２は、いずれも矩形状に形成されており、第１左側面部７４１の上縁と第２左側面部７４２の下縁とが折り曲げ可能に連結されている。すなわち、この連結部分が、上述したように、蓋部１５０を収容部１４０に対して揺動させるヒンジ１６９を構成している。また、第１左側面部７４１の上下方向の長さは、第１前面部７１１及び第１背面部７２１よりやや短く、第１前面部７１１及び第１背面部７２１が、左側面部７４よりもやや下方に突出している。
【０１６７】
次に、背面７２について説明する。背面７２は、右コントローラ４の第２主面を覆う部分であり、上記のように、上下方向に並ぶ第１背面部７２１と第２背面部７２２とで構成されている。第１背面部７２１の上縁７２３は、右コントローラ４の隆起部５００に沿うような形状に形成されている。すなわち、この上縁７２３は、左側面７４との境界から補強面７５に向かって左右方向に延びる直線状の縁部と、下方に向かって延びる短い傾斜した縁部と、この傾斜した縁部から補強面７５との境界まで延びる直線状の縁部とを連結することで構成されている。
【０１６８】
第１背面部７２１の右側縁の中央付近、つまり第１補強部７５１との境界には、第１補強部７５１側にやや突出する矩形状の凸部７２４が形成されている。一方、第１補強部７５１にはこの凸部７２４と対応するように凹部７５３が形成されており、これら凸部７２４と凹部７５３との境界は切込線により構成されている。そのため、第１背面部７２１と第１補強部７５１との境界を折り曲げると、凹部７５３に対応する部分には、貫通孔が形成される。この貫通孔は、後述する第１差込片７３３が挿入される第１差込孔７５３を構成する。
【０１６９】
また、第１背面部７２１の左下端の角部には、斜めに延びる折り曲げ線を介して、台形状の第２補強角部７２５０が連結されている。この折り曲げ線は、上方から下方にいくにしたがって右側に延びている。
【０１７０】
次に、第２背面部７２２について説明する。第２背面部７２２は矩形状に形成されており、その上端部には矩形状の第４切り欠き７２５が形成されている。この第４切り欠き７２５は、上方に開放されており、後述する可動部材１３０を取付けるために用いられる。一方、第２背面部７２２の下端には、下方に開放する第５切り欠き７２６が形成されている。この第５切り欠き７２６は、台形状に形成されており、第１背面部７２１の上縁７２３とで、第３開口部６９を構成する。そして、この第３開口部６９からは、右コントローラ４のＺＲボタン６１及び隆起部５００が露出する。
【０１７１】
また、第２背面部７２２の上下方向の中間付近には、左右方向に並ぶ２個の取付孔７２７が形成されている。これら取付孔７２７は、矩形状に形成されて、第２背面部７２２を貫通しており、後述するカバー部材１２０を取付けるために用いられる。
【０１７２】
第２背面部７２２の右側縁、つまり第２補強部７５２との境界には、第２補強部７５２側にやや突出する矩形状の凸部７２８，７２９が上下方向に２個形成されている。一方、第２補強部７５２にはこれら凸部７２８，７２９と対応するように２個の凹部７５４，７５５が形成されており、これら凸部７２８，７２９と凹部７５４，７５５との境界は切込線により構成されている。そのため、第２背面部７２２と第２補強部７５２との境界を折り曲げると、各凹部７５４，７５５に対応する部分には、貫通孔が形成される。これらの貫通孔は、上述した第２差込片７３６及び突部７７３が挿入される第２差込孔７５４、及び第３差込孔７５５を構成する。
【０１７３】
続いて、補強面７５について説明する。補強面７５は、上述したように、上下方向に並ぶ、第１補強部７５１と、第２補強部７５２とを備えている。但し、第２補強部７５２は、第２前面部７１２及び第２背面部７２２よりも下方に突出しており、その分だけ、第１補強部７５１の上下方向の長さが短くなっている。この第２補強部７５２において下方に突出した部分が、蓋部１５０の下部開口から下方に延びる位置決め用の突出片７５８を構成する。また、上述したように、第１補強部７５１の右側縁には凹部（第１挿入孔）７５３が形成され、また、第１補強部７５１の下縁には、凹部７５６が形成されている。この凹部７５６は、上述した第１右側面部７３１に形成された係合孔７６２と対応するように構成されている。
【０１７４】
第２補強部７５２の右側縁には、上述したように、凹部（第２差込孔）７５４及び凹部（第３差込孔）７５５が形成されている。さらに、第２補強部７５２の左側縁には、板状の補助板７５７が折り曲げ可能に連結されている。
【０１７５】
次に、ケース本体部１１０の組立について、図１２及び図１３も参照しつつ説明する。図１２及び図１３はケース本体部の組立を説明する斜視図である。まず、右側面７３、前面７１、左側面７４、背面７２、及び補強面７５を連結する折り曲げ線を折り曲げ、図１２に示すように、角筒を形成する。このとき、補強面７５は、右側面７３の内側に重ね、第１右側面部７３１の第１差込片７３３、第２右側面部７３２の第２差込片７３６及び突部７７３を、第１補強部７５１の第１差込孔７５３、第２補強部７５２の第２差込孔７５４、及び第３差込孔７５５にそれぞれ挿入する。これにより、ケース本体部１１０が展開しないように角筒状に保持される。このとき、ケース本体部１１０の上端部及び下端部にはそれぞれ内部空間に通じる上部開口及び下部開口が形成される。なお、第２補強部７５２に設けられた補助板７５７は、折り曲げて第２前面部７１２の内側に重ねておく。このように、ケース本体部１１０の右側面７３には補強面７５が重ねられているため、強固である。
【０１７６】
次に、第１補強角部７１６０及び第２補強角部７２５０を折り曲げるとともに、図１３に示すように、第１右側面部７３１の下端部の角部材７６１をこれら第１補強角部７１６０及び第２補強角部７２５０の表面（ケース本体部１１０の外側を向く面）に重ねる。続いて、補強板７６３を折り曲げ、第１補強角部７１６０及び第２補強角部７２５０の背面（ケース本体部１１０の内側を向く面）に重ねるとともに、先端の係合凸部７６４を、上述した係合孔７６２に係合させる。これにより、図８に示すように、ケース本体部１１０の右下の角部に斜めに傾斜する規制板７６０が形成される。この規制板７６０は、ケース本体部１１０の第１開口部６３を狭め、後述するように右コントローラ４が、ケース本体部１１０から抜け落ちるのを防止する。すなわち、右コントローラ４の下方への移動を規制する部材である。また、この規制板７６０は、複数の板材７６１、７６３、７１６０、７２５０を重ねることで形成されているため、強固であり、長期に亘る使用によって強度が低下するのが防止される。
【０１７７】
＜２−２−２．可動部材＞
次に、可動部材１３０について説明する。可動部材１３０は、２つの部材により形成されている。すなわち、可動部材本体１６０とストッパ部１７０により構成されている。まず、可動部材本体１６０について図１４を参照しつつ説明する。図１４は、可動部材本体の展開図である。なお、可動部材本体１６０も一枚の段ボールにより一体的に形成されている。
【０１７８】
図１４に示すように、可動部材本体１６０は、矩形状の中央部７８と、中央部７８の上下の辺に連結された上部材９３及び下部材９５と、中央部７８の左右の辺に折り曲げ可能に連結された右部材９６及び左部材９９と、を備え、これらは一体的に形成されている。中央部７８の上下方向の中央付近には、左右方向に延びるスリット状の第１挿通孔７８１が形成されている。上部材９３は、中央部７８の上辺から上方に向かって並ぶ第１部位９３１、第２部位９３２、及び第３部位９３３を備え、これらは互いに折り曲げ可能に連結されている。第１及び第２部位９３１，９３２は矩形状に形成されているが、第３部位９３３は、左右方向の中央に切り欠き９３４が形成されている。
【０１７９】
下部材９５は、上部材９３とは、中央部７８を挟んで下側に対称な形状となっているので、詳しい説明は省略する。但し、下部材９５の第１部位９５１には、左右方向の中央付近に上下方向に延びるスリット９５５が形成されている。
【０１８０】
次に、右部材９６について説明する。右部材９６は、中央部７８の右辺から右側に向かって並ぶ第１部位９６１、第２部位９６２、及び第３部位９６３を備え、これらは互いに折り曲げ可能に連結されている。第１部位９６１及び第２部位９６２の上下方向の長さは、中央部位７８と同じであるが、第３部位９６３はこれよりも長く、第２部位９６２よりも下方に突出している。また、第２部位９６２の左端から第３部位９６３の左右の中央付近までは矩形状に貫通孔９６４が形成されている。一方、左部材９９は、右部材９６とは、中央部７８を挟んで左側に対称な形状となっているので、詳しい説明は省略する。
【０１８１】
次に、ストッパ部１７０について、図１５を参照しつつ説明する。図１５は、ストッパ部の展開図である。なお、ストッパ部１７０も一枚の段ボールにより一体的に形成されている。図１５に示すように、ストッパ部１７０は、図１５の左右方向に並び、折り曲げ可能に連結された矩形状の一対のストッパ片７９１，７９２を有している。そして、両ストッパ片７９１，７９２の中央には、両ストッパ片７９１，７９２の並ぶ方向に延びる細長い貫通孔７９３が形成されている。この貫通孔７９３は、折り曲げ線７９３１と交差するように延び、各ストッパ片７９１，７９２の中央付近まで延びている。そして、折り曲げ線によりストッパ片７９１，７９２が重なるように折り曲げると、図１６のようなストッパ部１７０が形成される。このストッパ部１７０は、矩形状に形成された板状の部材であり、上述した貫通孔７９３により、ストッパ部１７０の一端部７９４（以下、第１端部という）には中心付近まで延びる切り欠き７９６が形成される。また、第１端部７９４とは反対側の端部を第２端部７９５と称することとする。
【０１８２】
次に、可動部材１３０の組立について、図１７〜図２０を参照しつつ説明する。図１７〜図２０は、可動部材の組み立てを説明する斜視図である。はじめに、図１７に示すように、可動部材本体１６０を組立てる。まず、右部材９６を折り曲げる。すなわち、中央部７８、第１部位９６１、第２部位９６２、及び第３部位９６３を互いに連結する境界線を折り曲げる。これにより、第１部位９６１は、可動部材本体１６０の右側面を構成し、第２部位９６２は可動部材本体１６０の前面側の右半分を構成する。第３部位９６３は、第１部位９６１と平行に延び、中央部７８の左右の中央付近に配置される。同様にして左部材９９を折り曲げる。これにより、左部材９９の第１部位９９１は、可動部材本体１６０の左側面を構成し、第２部位９９２は可動部材本体１６０の前面側の左半分を構成する。そして、図１７に示すように、右部材９６及び左部材９９の第３部位９６３，９９３は重ね合わされて、上下方向に延びるように構成される。このとき、両第３部位９６３，９９３において、中央部７８よりも下方に突出する部分が、可動部材本体１６０の突部１３９を構成する。また、右部材９６及び左部材９９に形成されている貫通孔９６４，９９４は、可動部材本体１６０の前面において第２挿通孔１３８を構成する。
【０１８３】
続いて、図１８に示すように、下部材９５を折り曲げる。すなわち、中央部７８、第１部位９５１、第２部位９５２、及び第３部位９５３を互いに連結する境界線を折り曲げる。これにより、第１部位９５１は、可動部材本体１６０の下面を構成する。このとき、第１部位９５１に形成されているスリット９５５に、上述した突部１３９が挿通され、第１部位９５１から突部１３９が突出するように構成される。また、第２部位９５２は、右部材９６及び左部材９９の第２部位９６２，９９２の下半分に重ね合わされて可動部材本体１６０の前面の下部を構成する。そして、図１８に示すように、第３部位９５３は、上述した第２挿通孔１３８に挿入される。このとき、第３部位９５３の切り欠き９５４には、重ね合わされた右部材９６及び左部材９９の第３部位９６３，９９３が嵌め込まれる。これにより、第３部位９５３は、右部材９６及び左部材９９の第３部位９６３，９９３に干渉することなく、第２挿通孔１３８に挿入される。
【０１８４】
同様に、図１９に示すように、上部材９３を折り曲げる。これにより、上部材９３の第１部位９３１は、可動部材本体１６０の上面を構成し、第２部位９３２は、右部材９６及び左部材９９の第２部位９６２，９９２の上半分に重ね合わされて可動部材本体１６０の前面の上部を構成する。また、第３部位９３３は、第２挿通孔１３８に挿入される。
【０１８５】
こうして、図１９に示すように、可動部材本体１６０は、直方体状に形成されて、前面には第２挿通孔１３８が形成され、背面には中央部７８の第１挿通孔７８１が位置する。そして、この可動部材本体１６０には、第１挿通孔７８１及び第２挿通孔１３８を開口とし、前後方向に延びる貫通孔が形成される。また、この貫通孔の内部には、上述した右部材９６及び左部材９９の第３部位９６３，９９３が上下方向に交差するように配置されている。以下、これを交差板９９９と称することとする。さらに、可動部材本体１６０の下面からは板状の突部１３９が突出している。この突部１３９が、本発明の可動部材の第２部位の一例を構成する。
【０１８６】
このように形成された可動部材本体１６０に対し、図１６の折り曲げたストッパ部１７０を取付ける。まず、ストッパ部１７０の切り欠き７９６が形成された側の第１端部７９４を可動部材本体１６０の第２挿通孔１３８から挿入する。そして、ストッパ部１７０が可動部材本体１６０を貫通するように押し込み、第１端部７９４を第１挿通孔７８１から突出させる。このとき、ストッパ部１７０の切り欠き７９６には、貫通孔の内部で交差板９９９に嵌め込まれる。これにより、ストッパ部１７０の前後方向の位置決めがなされる。こうして、図２０に示すように、ストッパ部１７０の第１端部７９４及び第２端部７９５は、それぞれ可動部材本体１６０の前面及び背面から突出する。以上の工程により、可動部材１３０が完成する。
【０１８７】
＜２−２−３．カバー部材＞
次に、カバー部材１２０について、図２１を参照しつつ説明する。カバー部材１２０は、ケース本体部１１０の上端部に取付けられ、上述した突出部４５を形成する部材である。また、可動部材１３０をケース本体部１１０に保持する役割を果たすため、本発明の保持部材としても機能する。
【０１８８】
具体的には、図２１に示すように、ケース１００の上面を構成する八角形状の天板部９２を備えている。この天板部９２の８つの辺は次のように構成されている。まず、ケース本体部１１０の前面７１側及び背面７２側を向き、左右方向に延びる第１及び第２長辺９２２、９２３を有している。これら第１長辺９２２及び第２長辺９２３は、対向するように互いに平行に延びている。また、ケース本体部１１０の右側面７３側及び左側面７４側を向き、前後方向に延びる第３及び第４長辺９２４、９２５を有している。これら第３長辺９２４及び第４長辺９２５は、対向するように互いに平行に延びており、第１長辺９２２及び第２長辺９２３とは直交するように配置されている。そして、隣接する４つの長辺９２２〜９２５の間には斜めに延びる４つの短辺９２６，９２７，９２８，９２９が形成されている。ここでは、説明の便宜上、第１長辺９２２の右側の短辺を第１短辺９２６、第１長辺９２２の左側の短辺を第２短辺９２７と称し、第２長辺９２３の右側の短辺を第３短辺９２８、第２長辺９２３の左側の短辺を第４短辺９２９と称することとする。
【０１８９】
また、天板部９２の中央には矩形状の貫通孔９２１が形成されており、後述するように、この貫通孔９２１から可動部材１３０が突出するようになっている。
【０１９０】
そして、天板部９２の第１長辺９２２には、第１突出本体部１７１が折り曲げ可能に連結されている。この第１突出本体部１７１は、上述した突出部４５の一部を構成し、第１長辺９２２に折り曲げ可能に連結された突出面１７２と、この突出面１７２の先端縁に折り曲げ可能に連結される台形状の下面部１７３と、この下面部１７３の先端縁から突出する一対の係合片１７４と、を備えていている。突出面１７２は、上記のように、突出部４５の前面を構成する部位であり、下面部１７３は、突出部４５の下面を構成する部位である。また、一対の係合片１７４は、上述したケース本体部１１０の前面７１に形成された取付孔７１０に挿入される。
【０１９１】
また、天板部９２の第１短辺９２６には、第１突出右面部１８１が折り曲げ可能に連結されている。この第１突出右面部１８１は、第１短辺９２６に折り曲げ可能に連結された矩形状の突出側面１８２と、この突出側面１８２の先端部に折り曲げ可能に連結された台形状の下面部１８３と、この下面部１８３から突出する係合片１８４とを備えている。突出側面１８２は、上述したように、前面側の突出部４５の右側の側面を構成する部位であり、後述するように、突出部４５の突出面１７２から蓋部１５０の第２右側面部７３２に向かって斜めに延びるように組立てられる。そして、下面部１８３は、第１突出本体部１７１の下面部１７３に重ねられる部位であり、下面部１８３の右半分に対応する大きさに形成されている。係合片１８４は、第１突出本体部１７１の係合片１７４に重ね合わせられて、取付孔７１０に挿入される。
【０１９２】
また、第２短辺９２７に連結されている第１突出左面部１８５は、第１突出右面部１８１と左右対称な形状であるため、説明を省略する。同様に、第２長辺９２３、第３短辺９２８、第４短辺９２９に折り曲げ可能に連結されている、第２突出本体部１７５、第２突出右面部１９１、及び第２突出左面部１９５は、それぞれ、第１突出本体部１７１、第１突出右面部１８１、及び第１突出左面部１８５と天板部９２を挟んで対称であるため、説明を省略する。
【０１９３】
＜２−２−４．ケースの組立＞
次に、上記のように組み立てたケース本体部１１０及び可動部材１３０を用い、ケース本体部１１０へのカバー部材１２０及び可動部材１３０の取付け、つまりケース１００の組立について、図２２〜図２４も参照しつつ、説明する。図２２〜図２４はケースの組立を説明する斜視図である。但し、図２３ではケース本体部１１０の蓋部１５０のみを示し収容部１４０を省略して示している。まず、図２２に示すように、ケース本体部１１０の上端の開口に可動部材１３０を取付ける。このとき、突部１３９が下を向くように配置するとともに、ストッパ部１７０の両端部７９４，７９５が、第２前面部７１２の第２切り欠き７１６、及び第２背面部７２２の第４切り欠き７２５に嵌まるように配置する。これにより、ストッパ部１７０は第２切り欠き７１６と第４切り欠き７２５との間に掛け渡された状態になり、可動部材１３０の下方への移動が規制される。ストッパ部１７０は、第２前面部７１２及び第２背面部７２２からやや突出した状態となる。また、可動部材１３０の上部は、ケース本体部１１０の上部開口から上方に突出した状態となる。
【０１９４】
次に、カバー部材１２０を取付ける。まず、図２３に示すように、カバー部材１２０の天板部９２が、ケース本体部１１０の上端開口を覆うように配置する。このとき、天板部９２の貫通孔９２１から可動部材１３０の上部を突出させる。このように貫通孔９２１から突出する部分が本発明の可動部材の第１部位の一例を構成する。また、天板部９２はケース本体部１１０の上端縁に接するように配置されるため、第２前面部７１２の第２切り欠き７１６及び第２背面部７２２の第４切り欠き７２５の上部が閉じられる。これにより、ストッパ部１７０の上方への移動が規制される。
【０１９５】
続いて、図２４に示すように、天板部９２の第１短辺９２６に連結されている第１突出左面部１８５を折り曲げる。すなわち、第１短辺９２６、及び突出側面１８２と下面部１８３との境界を直角に折り曲げるとともに、係合片１８４を取付孔７１０に係合させる。これにより、突出側面１８２は天板部９２の下方において上下方向に延びるとともに、前面７１から右側面７３に斜めに延びる傾斜面を構成する。この傾斜面が前面の突出部４５の右側面を構成する。一方、下面部１８３は、突出側面１８２よりも内側で下方を向く面を構成する。同様に、第１突出左面部１８５も折り曲げ、突出側面１８６によって前面７１から左側面７４に斜めに延びる傾斜面を形成するとともに、下面部１８７によって下方を向く面を形成する。こうして、図２４に示すように、突出部４５の両突出側面１８２，１８６が形成される。
【０１９６】
これに続いて、第１突出本体部１７１を折り曲げる。すなわち、第１長辺９２２、及び突出面１７２と下面部１７３との境界を直角に折り曲げるとともに、係合片１７４を取付孔７１０に係合させる。このとき、下面部１７３は、第１突出右面部１８１及び第１突出左面部１８５の下面部１８３，１８７に下側から重ね合わされる。また、係合片１７４は、第１突出右面部１８１及び第１突出左面部１８５の係合片１８４，１８８と重ねて取付孔７１０に係合する。こうして、図８に示すように、突出面１７２は天板部９２の下方において上下方向に延び、突出部４５の前面を構成する。一方、下面部１７３は、突出部４５の下面を構成する。このように、突出部４５の下面（接触面）は、第１突出本体部１７１の下面部１７３、及び第１突出右面部１８１及び第１突出左面部１８５の下面部１８３，１８７が重ねられることで２層に形成されるため、強固である。なお、本発明における「接触面を構成する部位」とは、３つの下面部１７３，１８３，１８７により構成される部位をいう。
【０１９７】
上記と同様に、第２突出本体部１７５、第２突出右面部１９１、及び第２突出左面部１９５も折り曲げて背面の突出部４５を形成する。こうして形成された突出部４５は、ケース本体部１１０の上部において、可動部材１３０のストッパ部１７０を覆うように配置される。したがって、カバー部材１２０は、可動部材１３０がケース本体部１１０に保持する役割も果たす。以上の工程により、図８及び図９に示すカバーが完成する。
【０１９８】
＜３．ケースへの右コントローラの収容方法＞
次に、上記のように組立てられたケースの使用方法について説明する。まず、図８の状態から、ケース１００の右側面７３の指入れ穴７７４に指を引っ掛け、固定片７７０を揺動させる。つまり、固定片７７０が右側面７３から離れるように引っ張る。これにより、固定片７７０に取付けられている突部７７３が、第３差込孔７５５から離脱し、蓋部１５０と収容部１４０とのロック状態が解除される（ロック解除位置）。次に、図１０に示すように、蓋部１５０を左側面７４のヒンジ１６９によって揺動させ、収容部１４０の挿入口２５０を開く。続いて、挿入口２５０に右コントローラ４を挿入する。このとき、右コントローラ４の下端面、つまり赤外撮像部１２３をケース１００の下端部側、つまり第１開口部６３に向けるとともに、第１主面がケース１００の前面を向くように右コントローラ４の向きを決めた後、右コントローラ４を挿入口２５０に挿入する。そして、右コントローラ４は、ケース１００の内部の規制板７６０に当接し、それ以上、下端部側に移動しないように上下方向に位置決めされる。こうして、図２５に示すように、右コントローラ４の赤外撮像部１２３及び赤外発光部１２４は、第１開口部６３の縁部からやや内側に位置した状態で、第１開口部６３から露出する。
【０１９９】
このとき、右コントローラ４の第１主面のボタン５２〜５８等は、第２大開口部６７及び第２小開口部６７１から露出する。また、アナログスティック５２は、第２大開口部６７の第２部位７１５の下端付近から露出するが、上記のように、右コントローラ４の上下の位置が位置決めされているため、第２部位７１５の内周縁には接しないようになっている。したがって、アナログスティック５２の操作が邪魔されることがない。
【０２００】
次に、蓋部１５０を揺動させて閉状態にし、収容部１４０から突出する右コントローラ４の上端部を覆う。このとき、蓋部１５０から下方に突出する突出片７５８を収容部１４０の第１右側面部７３１の内側に差し込む。続いて、固定片７７０を揺動させて右側面７３に当接させる。このとき、突部７７３が第３差込孔７５５に挿入されるため、固定片７７０が右側面７３に接した状態に固定される（ロック位置）。すなわち、蓋部１５０の閉状態が保持され、図２６に示すように、右コントローラ４の収容が完了する。
【０２０１】
このとき、図２７に示すように、右コントローラ４の第２主面のＺＲボタン６１及び隆起部５００は、蓋部１５０に設けられた第３開口部６９から露出する。特に、隆起部５００の下部の傾斜面は、第１背面部７２１の上縁７２３に接し、これによっても、右コントローラ４がケース１００の下端部側に移動するのを規制することができる。
【０２０２】
また、蓋部１５０が閉じられた状態では、右コントローラ４の第１Ｒボタン６０が可動部材１３０によってやや押し上げられる。すなわち、可動部材１３０は、突部１３９と第１Ｒボタン６０とが接したまま、ストッパ部１７０が上下動できる範囲で、ケース１００の上端側に押し上げられる。これにより、可動部材１３０を押し込むことで、第１Ｒボタン６０を押し込むことができる。
【０２０３】
＜４．ケースの使用方法＞
図２６及び図２７に示すように、右コントローラ４は、ケース１００に収容された状態でも、第１主面の各種ボタン５３〜５８及びアナログスティック５２、第２主面のＺＲボタン６１、及び下端面の赤外撮像部１２３が外部に露出するため、ケース１００に収容されていないときと同様に操作を行うことができる。
【０２０４】
また、右コントローラ４を収容したケース１００を、例えば、図２８のようなゲームの付属装置２６０に取付けることができる。以下の説明では、右コントローラ４が収容されたケース１００を、単にケース１００と称することとする。
【０２０５】
図２８に示すように、この付属装置２６０は、直方体状の基台２５９と、この基台状に配置され、ケース１００を保持する保持部２５１と、を有している。保持部２５１は、前面板２５２、背面板２５３、右側面板２５４、及び左側面板２５５を有する角筒状に形成されており、上部にケース１００が差し込まれる開口部２５６が形成されている。これら前面板２５２、背面板２５３、右側面板２５４、及び左側面板２５５は、ケース１００の前面７１、背面７２、右側面７３、及び左側面７４に対応しており、これらで囲まれた内部空間の断面は、ケース本体部１１０の外形と概ね一致している。したがって、保持部２５１にケース１００を収容すると、ケース本体部１１０は保持部２５１の内壁面に密着するように保持される。
【０２０６】
また、保持部２５１の前面板２５２及び背面板２５３には、上下方向に延びるスリット２５７、２５８がそれぞれ形成されている。各スリット２５７、２５８は、前面板２５２及び背面板２５３の上縁において上方に開放されており、下方に向かって延びている。各スリット２５７、２５８の左右方向の幅は、ケース１００の前面７１の第２大開口部６７の幅とほぼ同じである。したがって、ケース１００を保持部２５１に収容する際には、ケース１００から突出するアナログスティック５２、ＺＲボタン６１などの突出物は、スリット２５７、２５８を通るため、保持部２５１の前面７１または背面７２に干渉することがない。
【０２０７】
そして、図２９に示すように、この保持部２５１にケース１００を収容すると、ケース１００の突出部４５が保持部２５１の開口部２５６の縁に係合する。これによりケース１００が保持部２５１の内部に落ちることなく保持され、付属装置２６０に対する上下方向の位置が固定される。この状態で、ケース１００から露出する右コントローラ４の赤外撮像部１２３は、付属装置２６０の内部を撮影することができ、撮影された対象物に応じて、右コントローラ４から無線によってゲースシステムの本体装置２を操作することができる。また、ケース１００が保持されていても、可動部材１３０は保持部２５１の上方で外部に露出しているため、可動部材１３０を押し込んで、右コントローラ４を操作することができる。その他、右コントローラ４のほとんどの操作ボタン（例えば、５３〜５８）がスリット２５７，２５８を介して保持部２５１の外部に露出しているため、これらの操作ボタン５３〜５８を操作することもできる。
【０２０８】
＜５．特徴＞
本実施形態に係るケースによれば、以下の効果を得ることができる。
（１）ケース本体部１１０の表面から突出する突出部４５が設けられているため、これら突出部４５を利用して、ケース１００を他の部材に引っ掛けて保持することができる。したがって、例えば、上述した付属装置２６０の保持部２５１に差し込むと、突出部４５が保持部２５１の上縁に引っ掛かるため、保持部２５１に対してケース１００を保持することができる。そのため、上記付属装置２６０の内部を赤外撮像部１２３で撮影する場合には、対象物までの距離が固定されるため、正確な撮影を行うことができる。
【０２０９】
（２）ケース本体部１１０の前面７１及び背面７２から突出する各突出部４５の突出高さＨは同じであるため、保持部２５１に差し込む際に、保持部２５１に対し、前面７１及び背面７２の向きを区別することなく、ケース１００を差し込むことができる。すなわち、上記の説明では、ケース１００の前面７１及び背面７２が、保持部２５１の前面板２５２及び背面板２５３に対応するように、ケースを差し込んだが、これを反対向きにして差し込むこともできる。
【０２１０】
（３）突出部４５の突出高さＨが、ケース本体部１１０から露出する操作ボタン５３〜５８やアナログスティック５２よりも高いため、上方からの他の部材の衝突に対し、操作ボタン等を保護することができる。
【０２１１】
（４）各突出部４５は断面台形状に形成され、傾斜面が形成されている。そして、両突出部４５、右側面７３、及び左側面７４により、ケースの上端部は、全体として八角柱状に形成されているため、見た目がよい。特に、突出部４５は、下から見たときに台形状に形成され、前面７１側の突出面１７２、及び一対の突出側面１８２，１８６がそれぞれ別部材で構成されているため、このうちの一つが押圧されても全体の形状が崩れるのを防止することができる。また、突出面１７２が押圧されたときに、これを傾斜面である一対の突出側面１８２，１８６で受けるように構成されているため、強度を強くすることができる。この点は、背面７２側の突出部４５も同じである。
【０２１２】
（５）このケース１００は段ボールで形成されており、折り曲げることで組立てることができるため、製造が容易で、且つコストが安い。また、切断等の加工も容易である。
【０２１３】
（６）このケース１００は、長手方向に並ぶ収容部１４０と蓋部１５０とで構成され、ヒンジ１６９によって蓋部１５０が開閉可能に構成されている。したがって、長手方向に延びる右コントローラ４の収容が容易である。
【０２１４】
（７）収容部１４０には、揺動可能に蓋部１５０に固定される固定片７７０が設けられている。したがって、固定片７７０を蓋部１５０に固定することで、蓋部１５０の閉状態が保持され、蓋部１５０が不意に開くのを防止することができる。
【０２１５】
（８）可動部材１３０の突部１３９は、板状に形成され、第１Ｒボタン６０とは、線状に接触している。すなわち、接触面積が小さいため、可動部材１３０を押し込んだときに、確実に力を伝達することができる。また、この突部１３９は板材により形成され、この板材の面方向と、第１Ｒボタン６０の押し込み方向とが平行となっている。すなわち、突部１３９が、第１Ｒボタン６０に対して垂直に接触可能となっているため、第１Ｒボタン６０の押し込み時に、突部１３９が撓むのを防止することができる。したがって、可動部材１３０を押し込んだとき、その力を第１Ｒボタン６０に対して、より確実に伝達することができる。したがって、可動部材１３０を段ボールで形成していても、第１Ｒボタン６０を確実に押し込むことができる。
【０２１６】
（９）蓋部１５０には、下部開口から下方に突出する突出片７５８が設けられている。そのため、蓋部を閉状態にするときに、この突出片７５８を収容部１４０の第１右側面部７３１の内側に差し込むことで、蓋部１５０が収容部１４０の挿入口２５０を覆うように容易に位置決めすることができる。
【０２１７】
＜６．変形例＞
以上、本発明の実施形態について説明したが、本発明は上記各実施形態に限定されるものではなく、その趣旨を逸脱しない限りにおいて、種々の変更が可能である。例えば、以下の変更が可能である。また、以下の変形例は、適宜組み合わせることができる。
【０２１８】
（１）上記実施形態において、ケース本体部１１０は、直方体状に形成されているが、他の形状でもよい。例えば、円柱状、多角柱状など、右コントローラ４を収容できるものであれば、特には限定されない。また、開口部の形状、位置も特には限定されず、少なくとも一部の操作ボタン等が露出していればよい。
【０２１９】
（２）上記実施形態では、ケース１００を、ケース本体部１１０、可動部材１３０、及びカバー部材１２０により形成しているが、これに限定されるものではなく、すべてを一体的に形成することもできるし、あるいは４以上のパーツにより形成することもできる。すなわち、右コントローラ４を収容する部分、突出部４５を形成する部分、及び第１Ｒボタン６０を押し込める部分があれば、これらを形成するパーツの数、形状は特には限定されない。
【０２２０】
（３）上記実施形態では、突出部４５をケース本体部１１０の上端部に設けているが、突出部４５の構成も特には限定されない。すなわち、突出部４５は、ケース本体部１１０において第３開口部６９よりも上端側に設けられていればよく、その形状、位置、数は適宜決定することができる。したがって、上述したような前面７１及び背面７２に一つずつ設けるほか、突出部をいずれかの面に一つだけ設けたり、ケース本体部１１０の側面７３，７４に設けることもできるし、あるいは、これらの面に複数の突出部をそれぞれ設けることもできる。また、複数の面に渡る突出部を形成することもできる。形状についても、例えば、曲面を含むような突出部であってもよし、棒状の突出部を複数設けることもできる。さらに、突出部４５をケース本体部１１０とは異なる材料で形成することもできる。
【０２２１】
また、突出部４５を複数設ける場合、その高さは必ずしも同じでなくてもよい。すなわち、上記実施形態では、前面７１及び背面７２の突出部４５の突出高さを同じにしているが、異なっていてもよい。
【０２２２】
突出部４５においては、他の部材に係合させるために、第２端部側を向く面１７３を設けることが好ましいが、これも必須ではない。また、上記実施形態では、この面１７３を複数層の板材で形成しているが、一枚の板材で形成することもできる。
【０２２３】
上記実施形態では、ケース本体部１１０とは別部材のカバー部材１２０により、突出部４５を形成しているが、これに限定されない。例えば、ケース本体部１１０の表面の一部を隆起させ、突出部とすることもできる。この場合、ケース本体部１１０と突出部４５とは一体的に形成されるが、外形上、右コントローラ４を収容するケース本体部１１０の表面から突出し、他の部材に引っかけたり、あるいは、握ったときに、抜け止めとなるような部位は、すべて本発明の突出部ということができる。
【０２２４】
なお、突出部４５を有さないケース１００とすることもできる。
【０２２５】
（４）上記実施形態においては、ケース１００を段ボールによって形成しているが、これ以外の材料であっても、人の手によって折り曲げるなどの加工ができ、加工後の形状がある程度維持されるような板紙で形成されているのであれば、特には限定されない。また、ケースを、複数種の材料を組み合わせることで形成することもできる。さらに、ケース１００のすべてを板紙で形成しなくてもよく、例えば、折り曲げなどの加工を要しない部分は、樹脂材料などで形成することもできる。あるいは、ケース１００のすべてを樹脂材料、ゴムなどの材料で形成することもできる。
【０２２６】
（５）可動部材１３０は、上記実施形態の態様に限定されるものではなく、その一部がユーザにより押し込みできるように、外部に露出し、さらに、その一部が右コントローラ４の第１Ｒボタン６０を押し込み可能であればよい。したがって、必ずしも、上記のように可動部材本体１６０とストッパ部１７０とで構成されていなくてもよく、形状、大きさは適宜変更可能である。例えば、板材のみで可動部材を構成することもできる。例えば、ケース本体部１１０から露出する第１Ｒボタン６０を塞ぐような板材を設け、この板材を押し込むことで、第１Ｒボタン６０を押し込むようにすることもできる。
【０２２７】
上記実施形態では、可動部材１３０とカバー部材１２０とを別部材で構成しているが、これらを一体的に形成することもできる。例えば、カバー部材１２０の天板部９２の貫通孔９２１を塞ぎ、天板部９２を押したときに、第１Ｒボタン６０を押し込めるようになっていてもよい。すなわち、ユーザにより押し込み動作が行われたときに、第１Ｒボタン６０を押し込むことできる構成であれば、本発明の可動部材に相当する。この場合、突出部は必ずしも設けなくてもよい。
【０２２８】
また、上記実施形態では、可動部材１３０をケース本体部１１０に保持するために、カバー部材１２０を用いているが、これ以外の方法でもよい。すなわち、カバー部材１２０は、突出部４５の形成と、可動部材１３０の保持の役割を果たすが、突出部４５を設けず、主として、可動部材１３０を保持するための部材を用いて、可動部材１３０をケース本体部１１０に対し、第１Ｒボタン６０を押し込み可能に取り付けることもできる。
【０２２９】
なお、可動部材１３０は必ずしも必要ではなく、例えば、ケース本体部１１０の上端部に開口を設け、第１Ｒボタン６０を直接押し込めるように構成してもよい。
【０２３０】
（６）上記実施形態では、ケース本体部１１０に収容された右コントローラ４を規制板７６０や第３開口部６９の上縁７２３により第２端部側へ移動しないようにしているが、本発明において、コントローラが第２端部側へ移動するのを規制する手段である規制部は、これ以外の構成でもよく、例えば、コントローラのいずれかの部位に引っかかるような部材が設けられていればよい。
【０２３１】
（７）本発明に係るケースは、コントローラ用のカバー、収容装置も含む概念である。
【０２３２】
（８）上記実施形態では、コントローラの一例として、右コントローラ４を挙げたが、本発明に係るケースに収容されるコントローラは、これに限定されない。例えば、コントローラの第１主面、第２主面、第１端面、第２端面、第１側端面、及び第２側端面は、平坦面であるほか、曲面状であってもよく、あるいはこれらが組み合わされたものであってもよい。各面は、例えば、次のように定義することもできる。第１端面及び第２端面は、少なくとも一部が両主面の長手方向を向く面であればよく、多少傾斜していたり、一部が曲面をなして他の面と接続されていてもよい。同様に、第１側端面及び第２側端面も、少なくとも一部が両主面の短手方向を向く面であればよく、多少傾斜していたり、一部が曲面をなして他の面と接続されていてもよい。また、面の間の境界が不明確である場合も考えられるが、少なくとも上述したような長手方向及び短手方向を向く面があれば、その部分については、上記のように定義することができる。
【０２３３】
また、各操作部の操作ボタンは、他の面にまで延びていてもよい。例えば、第１操作部の操作ボタンが、第１端面から第１側端面に渡って延びるように形成されていてもよい。さらに、各操作部は、操作ボタンのみならず、ボタンに沿って設けられるガイドなどの部材も含む。
【０２３４】
撮像部は、コントローラの第２端面に設けられているが、撮像部の全体が第２端面に設けられている必要はない。例えば、撮像部の構成部品(イメージセンサなど)がコントローラの内部に配置され、第２端面に形成された窓あるいは保護用カバーを介して、第２端面から外部を撮影できるように構成されている場合も含む。
【０２３５】
また、本発明が対象とするコントローラは、ゲーム装置の専用のコントローラに限定されない。例えば、ゲーム以外の装置を操作するためのコントローラに加え、スマートフォンなどの携帯情報端末を他の装置の操作に用いる場合には、これも本発明が対象とするコントローラになり得る。
【符号の説明】
【０２３６】
４          ：右コントローラ
４５        ：突出部
５２        ：アナログスティック（第１操作部）
５３〜５８  ：操作ボタン（第１操作部）
６０        ：第１Ｒボタン（第２操作部）
６１        ：ＺＲボタン（第３操作部）
６３        ：第１開口部
６７        ：第２大開口部（第２開口部）
６７１      ：第２小開口部（第２開口部）
６９        ：第３開口部
７１        ：前面（第１面）
７１１      ：第１前面部（第１収容面）
７１２      ：第２前面部（第１蓋面）
７２        ：背面（第２面）
７２１      ：第１背面部（第２収容面）
７２２      ：第２背面部（第２蓋面）
７３        ：右側面（第１側面）
７３１      ：第１右側面部（第１収容側面）
７３２      ：第２右側面部（第１蓋側面）
７４        ：左側面（第２側面）
７４１      ：第１左側面部（第２収容側面）
７４２      ：第２左側面部（第２蓋側面）
１００      ：ケース
１１０      ：ケース本体
１２０      ：カバー部材（保持部材）
１２３      ：赤外撮像部
１３０      ：可動部材
１３９      ：突部（第２部位）
１４０      ：収容部
１５０      ：蓋部
１７０      ：ストッパ部
１７３      ：下面部（接触面）
１７７      ：下面部（接触面）
５００      ：隆起部（第３操作部）
７２３      ：上縁（第２規制部）
７５５      ：第３差込孔（凹部）
７６０      ：規制板（第１規制部）
７５８      ：突出片
７７０      ：固定片（ロック部材部材）
７７３      ：突部
Ｈ          ：突出高さ
【図１】
2019122569.tif 000003
【図２】
2019122569.tif 000004
【図３】
2019122569.tif 000005
【図４】
2019122569.tif 000006
【図５】
2019122569.tif 000007
【図６】
2019122569.tif 000008
【図７】
2019122569.tif 000009
【図８】
2019122569.tif 000010
【図９】
2019122569.tif 000011
【図１０】
2019122569.tif 000012
【図１１】
2019122569.tif 000013
【図１２】
2019122569.tif 000014
【図１３】
2019122569.tif 000015
【図１４】
2019122569.tif 000016
【図１５】
2019122569.tif 000017
【図１６】
2019122569.tif 000018
【図１７】
2019122569.tif 000019
【図１８】
2019122569.tif 000020
【図１９】
2019122569.tif 000021
【図２０】
2019122569.tif 000022
【図２１】
2019122569.tif 000023
【図２２】
2019122569.tif 000024
【図２３】
2019122569.tif 000025
【図２４】
2019122569.tif 000026
【図２５】
2019122569.tif 000027
【図２６】
2019122569.tif 000028
【図２７】
2019122569.tif 000029
【図２８】
2019122569.tif 000030
【図２９】
2019122569.tif 000031